(57)【要約】    【課題】  フォーカスが容易でしかも、撮影可能な物体距離を短くしてもフォーカスの際の収差変動が少なく、高画質の画像が容易に得られる撮影光学系を得ること。    【解決手段】  物体側から像側へ順に、フォーカシングのためには不動で正の屈折力の第１レンズ群、フォーカシングのために移動する負の屈折力の第２レンズ群、正又は負の屈折力のレンズ群を１以上含む後続レンズ群を有する撮影光学系において、後続レンズ群のうち少なくとも１つのレンズ部は、フォーカシングに際して第２レンズ群と関連付けて光軸上を移動し、全系の焦点距離をf、第１レンズ群の焦点距離をf1、撮影光学系の最も物体側レンズの物体側面頂点から像面までの距離をLとするとき、    0.050＜L×f1/f2＜0.250なる条件を満足すること。【選択図】    図１
2012242742.tif 000002
【特許請求の範囲】
【請求項１】
物体側から像側へ順に、フォーカシングのためには不動で正の屈折力の第１レンズ群、フォーカシングのために移動する負の屈折力の第２レンズ群、正又は負の屈折力のレンズ群を１以上含む後続レンズ群を有する撮影光学系において、
前記後続レンズ群のうち少なくとも１つのレンズ部は、フォーカシングに際して前記第２レンズ群と関連付けて光軸上を移動し、
全系の焦点距離をf、
前記第１レンズ群の焦点距離をf1、
前記撮影光学系の最も物体側レンズの物体側面頂点から像面までの距離をLとするとき、
0.050＜L×f1/f2＜0.250
なる条件を満足することを特徴とする撮影光学系。
【請求項２】
前記撮影光学系は、前記第１レンズ群よりも像側にフォーカシングのためには不動の開口絞りを有し、
前記後続レンズ群のうちフォーカシングに際して前記第２レンズ群と関連付けて光軸上を移動するレンズもしくはレンズ群をレンズ部Gmlとするとき、無限遠物体にフォーカスしているときの前記レンズ部Gmlの最も物体側面から前記開口絞りまでの距離の絶対値をdml、前記第２レンズ群の屈折力をφ2、前記レンズ部Gmlの屈折力をφml、フォーカシングに際しての前記第２レンズ群の最大移動量をΔM2、フォーカシングに際しての前記レンズ部Gmlの最大移動量をΔMmlとするとき、
0.00≦dml/L＜0.20
1.0＜φ2×ΔM2/Σ(φml×ΔMml)＜100.0
なる条件を満足することを特徴とする請求項１に記載の撮影光学系。
【請求項３】
前記後続レンズ群のうちフォーカシングに際して前記第２レンズ群と関連付けて光軸上を移動するレンズもしくはレンズ群をレンズ部Gilとするとき、無限遠物体にフォーカスしているときの前記レンズ部Gilの最も物体側面から像面までの距離の絶対値をdil、前記第２レンズ群の屈折力をφ2、前記レンズ部Gilの屈折力をφil、フォーカシングに際しての前記第２レンズ群の最大移動量をΔM2、フォーカシングに際しての前記Gilの最大移動量をΔMilとするとき、
0.000＜dil/L＜0.350
1.0＜φ2×ΔM2/Σ(φil×ΔMil)＜100.0
なる条件を満足することを特徴とする請求項１に記載の撮影光学系。
【請求項４】
前記第２レンズ群の焦点距離をf2とするとき、
-0.240＜f2/f＜-0.050
-2.40＜f1/f2＜-0.50
なる条件を満足することを特徴とする請求項１乃至３のいずれか１項に記載の撮影光学系。
【請求項５】
前記第１レンズ群の最も像側に配置されているレンズ部L1endは、正の屈折力の単レンズ、もしくは合成屈折力が正の屈折力の接合レンズよりなり、
前記レンズ部L1endの最も物体側面の曲率半径をRL1end、前記レンズ部L1endの最も物体側面を形成する材料の屈折率をNp、前記第２レンズ群の最も像側面の曲率半径をRL2、前記第２レンズ群の最も像側面を形成する材料の屈折率をNnとするとき、
0.50＜Np×RL1end /(Nn×RL2)＜5.00
なる条件を満足することを特徴とする請求項１乃至４のいずれか１項に記載の撮影光学系。
【請求項６】
前記第２レンズ群は１つの負レンズから構成されていることを特徴とする請求項１乃至５のいずれか１項に記載の撮影光学系。
【請求項７】
請求項１乃至６のいずれか１項の撮影光学系と前記撮影光学系によって形成された像を受光する光電変換素子とを有することを特徴とする撮像装置。
【発明の詳細な説明】
【技術分野】
【０００１】
本発明は撮影光学系及びそれを有する撮像装置に関し、例えば銀塩フィルムを用いた写真用カメラや、固体撮像素子を用いたビデオカメラ、デジタルスチルカメラ、ＴＶカメラ、監視用カメラ等に好適なものである。
【背景技術】
【０００２】
従来、長焦点距離の撮影光学系として、物体側から像側へ順に、正の屈折力を有する前方レンズ群と、負の屈折力を有する後方レンズ群より成る、所謂望遠タイプの撮影光学系（望遠レンズ）が知られている（特許文献１〜３）。
【０００３】
一般的に３５ｍｍフィルム換算（以下同様である）で焦点距離が３００ｍｍを超えるような望遠レンズは、その他の撮影レンズに比べてレンズ全長が長く、また第１レンズ群のレンズ有効径が他のレンズ群と比較して大きい。このような望遠タイプの撮影光学系においては、第１レンズ群よりも像側の比較的軽量なレンズ群を動かすことでフォーカシングを行う、所謂インナーフォーカスを採用したものが多い。
【０００４】
特許文献１は焦点距離２９３ｍｍ〜３９１ｍｍでＦナンバー２．９〜４．１程度のレンズ全長が短い望遠レンズを開示している。そして物体側から数えて第２番目の負の屈折力の第２レンズ群を像側に動かすことで無限遠物体から近距離物体にフォーカシングを行っている。また、特許文献２はフォーカシングの際に単一のレンズ群ではなくて、２つ以上のレンズ群を同時に動かす方式を用いた焦点距離３００ｍｍでＦナンバー２．８５程度の大口径比の望遠レンズを開示している。
【０００５】
また特許文献３は、フォーカシングに際して２つのレンズ群を動かして、等倍撮影まで可能にした焦点距離１８０ｍｍでＦナンバー３．６程度、撮影レンズ（マクロレンズ）を開示している。
【先行技術文献】
【特許文献】
【０００６】
【特許文献１】特開２００９−２７１３５４号公報
【特許文献２】特開２００４−００４６９８号公報
【特許文献３】特開２００５−０６２２１１号公報
【発明の概要】
【発明が解決しようとする課題】
【０００７】
望遠レンズでは前方レンズ群（前群）が大型で高重量となるため前方レンズ群でフォーカスをせず、レンズ群中の一部の小型軽量のレンズ群でフォーカスをするインナーフォーカス方式を用いているのが多い。インナーフォーカス方式は、撮影可能な物体距離を短くし、かつ高速にフォーカスするのが容易である。
【０００８】
しかしながらインナーフォーカス方式を採用すると多くの場合フォーカスの際に収差変動が多くなる。特に撮影可能な物体距離を短くすると諸収差が多く発生し、このときの収差を補正するのが大変困難になってくる。
【０００９】
望遠レンズにおいて、インナーフォーカス方式を採用し、かつフォーカスに際して２つ以上のレンズ群を移動させる方式を用いると、フォーカスに際しての収差変動を軽減することが容易となる。
【００１０】
しかしながら単に２つ以上のレンズ群を用いてフォーカスをしただけでは、フォーカスの際の収差変動を軽減するのが困難となる。望遠レンズにおいて、２つ以上のレンズ群を移動させてフォーカスを行うときには移動させる２つ以上のレンズ群の選択及びレンズ群の構成を適切に設定することが重要である。これらが不適切であるとレンズ全長が長くなり、かつフォーカスに際しての収差変動を良好に補正するのが困難になる。
【００１１】
特に撮影倍率が０．５倍以上となるような至近距離物体での撮影においては、球面収差や像面湾曲等の諸収差が多く発生し、これらの諸収差を補正するのが大変困難になってくる。
【００１２】
本発明は、フォーカスが容易でしかも、撮影可能な物体距離を短くしてもフォーカスの際の収差変動が少なく、高画質の画像が容易に得られる撮影光学系の提供を目的とする。
【課題を解決するための手段】
【００１３】
本発明の撮影光学系は、物体側から像側へ順に、フォーカシングのためには不動で正の屈折力の第１レンズ群、フォーカシングのために移動する負の屈折力の第２レンズ群、正又は負の屈折力のレンズ群を１以上含む後続レンズ群を有する撮影光学系において、
前記後続レンズ群のうち少なくとも１つのレンズ部は、フォーカシングに際して前記第２レンズ群と関連付けて光軸上を移動し、
全系の焦点距離をf、
前記第１レンズ群の焦点距離をf1、
前記撮影光学系の最も物体側レンズの物体側面頂点から像面までの距離をLとするとき、
0.050＜L×f1/f2＜0.250
なる条件を満足することを特徴としている。
【発明の効果】
【００１４】
本発明によれば、フォーカスが容易でしかも、撮影可能な物体距離を短くしてもフォーカスの際の収差変動が少なく、高画質の画像が容易に得られる撮影光学系が得られる。
【図面の簡単な説明】
【００１５】
【図１】（Ａ），（Ｂ），（Ｃ）  本発明の実施例１の撮影光学系の物体距離無限遠時におけるレンズ断面図、無限遠物体にフォーカスしたときの収差図、至近距離物体にフォーカスしたときの収差図である。
【図２】（Ａ），（Ｂ），（Ｃ）  本発明の実施例２の撮影光学系の物体距離無限遠時におけるレンズ断面図、無限遠物体にフォーカスしたときの収差図、至近距離物体にフォーカスしたときの収差図である。
【図３】（Ａ），（Ｂ），（Ｃ）  本発明の実施例３の撮影光学系の物体距離無限遠時におけるレンズ断面図、無限遠物体にフォーカスしたときの収差図、至近距離物体にフォーカスしたときの収差図である。
【図４】（Ａ），（Ｂ），（Ｃ）  本発明の実施例４の撮影光学系の物体距離無限遠時におけるレンズ断面図、無限遠物体にフォーカスしたときの収差図、至近距離物体にフォーカスしたときの収差図である。
【図５】（Ａ），（Ｂ），（Ｃ）  本発明の実施例５の撮影光学系の物体距離無限遠時におけるレンズ断面図、無限遠物体にフォーカスしたときの収差図、至近距離物体にフォーカスしたときの収差図である。
【図６】（Ａ），（Ｂ），（Ｃ）  本発明の実施例６の撮影光学系の物体距離無限遠時におけるレンズ断面図、無限遠物体にフォーカスしたときの収差図、至近距離物体にフォーカスしたときの収差図である。
【図７】（Ａ），（Ｂ），（Ｃ）  本発明の実施例７の撮影光学系の物体距離無限遠時におけるレンズ断面図、無限遠物体にフォーカスしたときの収差図、至近距離物体にフォーカスしたときの収差図である。
【図８】（Ａ），（Ｂ），（Ｃ）  本発明の実施例８の撮影光学系の物体距離無限遠時におけるレンズ断面図、無限遠物体にフォーカスしたときの収差図、至近距離物体にフォーカスしたときの収差図である。
【図９】（Ａ），（Ｂ），（Ｃ）  本発明の実施例９の撮影光学系の物体距離無限遠時におけるレンズ断面図、無限遠物体にフォーカスしたときの収差図、至近距離物体にフォーカスしたときの収差図である。
【図１０】本発明の撮像装置の説明図
【図１１】本発明の撮像光学系の近軸屈折力配置の模式図
【図１２】本発明の撮像光学系の近軸屈折力配置の模式図
【図１３】従来の望遠レンズの近軸屈折力配置の模式図
【発明を実施するための形態】
【００１６】
以下に本発明の好ましい実施の形態を、添付の図面に基づいて詳細に説明する。本発明の撮影光学系は物体側から像側へ順に、正の屈折力の第１レンズ群、負の屈折力の第２レンズ群、正又は負の屈折力のレンズ群を１以上含む後続レンズ群より構成されている。第２レンズ群は、無限遠物体から近距離物体へのフォーカシングに際して光軸上を像側へ移動し、更に後続レンズ群のうち少なくとも１つのレンズ群は、フォーカシングする際に第２レンズ群と関連付けて光軸上を移動している。
【００１７】
尚、ここで言う「フォーカシング」とは「フォーカス」とも言い、無限遠物体や有限距離の物体に撮影光学系の焦点を合わせる操作のことを言う。また「第２レンズ群と関連付けて光軸上を移動し」とは、例えばフォーカシング可能な全物体距離範囲（無限遠物体から至近距離物体）へのフォーカシング時に第２レンズ群と同一速度又は異なった速度で同時に移動することをいう。又はある特定の物体距離範囲においてのみ移動すること等をいう。
【００１８】
図１（Ａ）乃至図９（Ａ）は、本発明の撮影光学系の実施例１乃至実施例９のレンズ断面図である。また図１（Ｂ）乃至図９（Ｂ）は本発明の撮影光学系の実施例１乃至実施例９の無限遠物体にフォーカシングした時の縦収差図である。図１（Ｃ）乃至図９（Ｃ）は本発明の撮影光学系の実施例１乃至実施例９の最も至近距離物体にフォーカシングした時の縦収差図である。また図１０は本発明の撮影光学系をカメラ本体に装着した一眼レフカメラシステム（撮像装置）の要部概略図である。
【００１９】
各レンズ断面図において、Ｌ０は撮影光学系である。ＳＰは開口絞りである。撮影光学系Ｌ０は正の屈折力の第１レンズ群Ｌ１、負の屈折力の第２レンズ群Ｌ２、正又は負の屈折力のレンズ群を１以上有する後続レンズ群ＬＲより構成されている。ＩＰは像面であり、ビデオカメラやデジタルカメラの撮影光学系として使用する際には像を受光するＣＣＤセンサやＣＭＯＳセンサ等の固体撮像素子（光電変換素子）の撮像面が、銀塩フィルム用カメラの撮像光学系とし使用する際にはフィルム面に相当する。
【００２０】
各収差図において、ｄ、ｇは順に、ｄ線、ｇ線である。Ｍ、Ｓはメリディオナル像面、サジタル像面である。倍率色収差はｇ線によって表している。ＦｎｏはＦナンバー、ωは撮影半画角（度）である。すべての収差図において、球面収差は０．４ｍｍ、非点収差は０．４ｍｍ、歪曲は２％、倍率色収差は０．０５ｍｍのスケールで描かれている。
【００２１】
本発明の撮影光学系は望遠レンズ（望遠タイプのレンズ系）より成り、その特徴とする構成は次のとおりである。望遠レンズにおける課題の１つに撮影可能な物体距離の短縮化（至近距離化）がある。一般的に望遠レンズは、光軸と瞳近軸光線の交わる点より物体側のレンズのレンズ有効径の方が、像側のレンズのレンズ有効径よりも大きい。望遠レンズにおいて有限距離物体へのフォーカシングについては、第１レンズ群よりも像側の比較的軽量なレンズ群を動かすことでフォーカシングを行う、いわゆるインナーフォーカスを採用しているものが多い。
【００２２】
こうすることで重量の重い第１レンズ群やレンズ系全体を繰り出しをすることなくフォーカシングを容易に行っている。また軽量なレンズ群を動かすのでフォーカス機構が容易になる。しかしながら、インナーフォーカス方式は、フォーカスレンズ群を固定レンズ群との間で動かすため、フォーカスレンズ群を動かせる移動範囲に限度がある。また多くの望遠タイプのレンズ構成では、フォーカスレンズ群以外のレンズ群とのパワーバランスから、フォーカスレンズ群のパワーを単独に強めてフォーカスレンズ群の移動量を短くすると収差が多く発生し、収差補正が困難になる。
【００２３】
このため撮影可能な物体距離（近距離物体）を短くすることが困難であった。また近年、回折光学素子や異常分散材料などを光学設計に応用したレンズ全長の短い望遠レンズが種々提案されてきている。これは正の屈折力を持つ第１レンズ群のパワーを大きくすることでレンズ全長を短縮している（例えば特許文献１）。
【００２４】
しかしながらフォーカスレンズ群を含めた全体的なレンズ構成は従来のレンズ構成とほとんど変わっていないため、前述したインナーフォーカスを採用したときの課題は残っていた。またレンズ全長が短いため固定レンズ群同士の間隔も狭くなり、フォーカスレンズ群の移動範囲が制約される。このため、撮影可能な物体距離の短縮化がより難しくなっていた。
【００２５】
本発明の撮影光学系ではレンズ全長を短縮しつつ、撮影可能な物体距離の短縮化を容易にしている。
【００２６】
本発明の撮影光学系は、物体側から像側へ順に、フォーカシング時に不動の正の屈折力の第１レンズ群、フォーカシング時に移動する負の屈折力の第２レンズ群、正または負の屈折力のレンズ群を１以上有する後続レンズ群を有している。後続レンズ群のうち少なくとも１つのレンズ群が、フォーカシングする際に第２レンズ群と関連付けて光軸上を移動している。このようにフォーカシングする際に、第２レンズ群及び第２レンズ群と関連付けて１つ以上のレンズ群を動かすことにより、フォーカス敏感度を複数のレンズ群に分担している。
【００２７】
これにより１つのレンズ群あたりのフォーカス移動量を低減させたり、フォーカシングによる収差変動を低減させている。
【００２８】
次に、インナーフォーカス方式をとり、レンズ全長を短縮した望遠レンズにおいて、フォーカシングする際に複数のレンズ群を動かすと、１つのレンズ群あたりのフォーカス移動量を低減させることができるメカニズムについて説明する。
【００２９】
望遠レンズにおいて負の屈折力の第２レンズ群のみを像側へ動かして、無限遠物体から近距離物体にフォーカシングすると、次のような横倍率の変化が起こる。正の屈折力の第１レンズ群の横倍率はゼロから負の方向に増大し、第２レンズ群の横倍率は正の値を維持しながら減少する。第３レンズ群以降の後続レンズ群は移動しないため、横倍率の変化はない。このように第２レンズ群では横倍率が減少するものの、第１レンズ群の横倍率の絶対値がゼロから増大する。このため、機構上最も近距離物体にフォーカシングした場合の横倍率の絶対値がおよそ０．１〜０．２の間となっていた。
【００３０】
しかし、これ以上の距離の短い近距離物体へフォーカシングすることは、第２レンズ群だけではパワーバランスやレンズ群間隔の制約から難しい。
【００３１】
そこで本発明の撮影光学系では、近距離物体へフォーカシングする際に第２レンズ群Ｌ２よりも像側のレンズ群を第２レンズ群Ｌ２と関連させて動かしている。これにより第２レンズ群Ｌ２の横倍率の減少量を低減させたり、第２レンズ群Ｌ２よりも像側のレンズ群の横倍率を増大させている。こうすることで、近距離物体へのフォーカシング時の全体の横倍率を従来よりも大幅に大きくして、撮影倍率０．５以上で撮影できるようにしている。
【００３２】
次にこのインナーフォーカス方式をとり、レンズ全長を短縮した望遠レンズにおいて、フォーカシングする際に第２レンズ群と関連させて１以上のレンズ群を動かすと、収差変動を低減することができるメカニズムについて説明する。
【００３３】
図１３は負の屈折力の第２レンズ群が移動することでフォーカシングを行う従来の望遠レンズの模式図である。図１３（Ａ）は無限遠物体にフォーカシングしている状態、図１３（Ｂ）は第２レンズ群Ｌ２を矢印の如く像面側へ移動させて近距離物体にフォーカシングしている状態を示している。この場合、無限遠物体にフォーカシングしているときと近距離物体にフォーカシングしているときでは第１レンズ群Ｌ１と第２レンズ群Ｌ２を通過する軸上光線の入射高さと瞳近軸光線の通過位置がそれぞれ変化している。
【００３４】
これにより発生する球面収差や像面湾曲の変動を、従来は第１レンズ群Ｌ１と第２レンズ群Ｌ２の中でキャンセルさせるようなパワー配置やレンズ形状を取っていた。しかしながら、従来以上に近距離の物体にフォーカシングしようとすると、球面収差や像面湾曲の変動が大きくなりすぎる。このため、第１レンズ群Ｌ１と第２レンズ群Ｌ２の中だけではこれらの収差をキャンセルすることができなくなってしまう。
【００３５】
そこで、本発明は第２レンズ群Ｌ２より像側に少なくとも１つのレンズ群よりなる後続レンズ群を配置している。更にこの後続レンズ群のうち少なくとも１つのレンズ群をフォーカシングする際に第２レンズ群と関連付けて移動させることで、フォーカシング時の球面収差の変動や像面湾曲などの軸外収差の変動を低減している。
【００３６】
次にそのメカニズムを具体的に説明する。望遠レンズにおいて、瞳近軸光線が光軸と交わる位置付近では、瞳近軸光線がレンズの中心付近を通過するため、諸収差の中でも特に球面収差が多く発生する。図１１（Ａ）、（Ｂ）はフォーカシングによる球面収差の変動を低減するための説明図である。
【００３７】
図１１（Ａ）、（Ｂ）に示すように像面湾曲等の軸外収差の発生が少ない瞳近軸光線が光軸と交わる位置付近のレンズ部（レンズ群）Ｇｍｌをフォーカシングする際に第２レンズ群と関連付けて動かせばよい。レンズ部Ｇｍｌの屈折力の符号や移動方向は、第１レンズ群や第２レンズ群とのキャンセル関係の違いにより異なり、様々な解が得られる。
【００３８】
例えば、レンズ部Ｇｍｌを正の屈折力を持つレンズ又はレンズ群とする。この時は、発生する球面収差の変動を正の屈折力の第１レンズ群Ｌ１とレンズ部Ｇｍｌの合成球面収差の変動量と、負の屈折力の第２レンズ群Ｌ２による球面収差の変動量とでキャンセルすることが可能となる。レンズ部Ｇｍｌの動かす方向は、第１レンズ群Ｌ１と第２レンズ群Ｌ２の収差バランスにより決まってくる。
【００３９】
もし近距離物体になればなるほど第１レンズ群Ｌ１と第２レンズ群Ｌ２の合成球面収差変動量がマイナスの方向になるならば、レンズ部Ｇｍｌを物体側へ動かせばよい。図１１（Ａ）（Ｂ）はその時の例である。こうするとレンズ部Ｇｍｌを通過する軸上光線の入射高さが高くなるので、球面収差が無限遠物体にフォーカスするよりも多く発生し、変動量の合計をゼロに近づけることができる。
【００４０】
またその逆に近距離物体になればなるほど第１レンズ群Ｌ１と第２レンズ群Ｌ２の合成球面収差変動量がプラスの方向になるならば、レンズ部Ｇｍｌを像側へ動かせばよい。もしレンズ部Ｇｍｌが負の屈折力を持つのであれば、第１レンズ群Ｌ１の球面収差変動量と第２レンズ群Ｌ２とレンズ部Ｇｍｌの合成球面収差の変動量とで前記同様にキャンセルさせればよい。また像面湾曲等の軸外収差のフォーカスの際の変動を低減させようとするならば、図１２（Ａ），（Ｂ）のように、より像面に近いレンズ又はレンズ群よりなるレンズ部Ｇｉｌをフォーカシングする際に第２レンズ群と関連付けて動かせばよい。
【００４１】
瞳近軸光線が光軸と交わる位置から像側へ行けば行くほど軸上光線の入射高さが低くなり、瞳近軸光線がレンズの周辺部分を通過する。このため、より像側のレンズ（群）を動かすことで、球面収差にあまり影響を与えずに像面湾曲等の軸外収差を補正することができるからである。レンズ部Ｇｉｌの屈折力の符号や移動方向であるが、これも前述のレンズ部Ｇｍｌの時と同様にキャンセル関係の違いにより異なり、様々な解が得られる。
【００４２】
例えば、レンズ部Ｇｉｌを正の屈折力を持つレンズ（群）とする。第１レンズ群Ｌ１と第２レンズ群Ｌ２の合成の像面湾曲の変動がプラスの方向であるならば、フォーカシングする際に第２レンズ群と関連付けてレンズ部Ｇｉｌを物体側に動かせばよい。そうすると、無限遠物体にフォーカシングする時よりも近距離物体にフォーカシングする時の方がレンズ部Ｇｉｌを通過する軸外光線の入射高さが低くできる。こうなると、レンズ部Ｇｉｌでの像面湾曲の変動量をマイナス方向にすることができるため、全体として像面湾曲の変動量をゼロに近づけることができる。
【００４３】
また逆に、１レンズ群Ｌ１と第２レンズ群Ｌ２の合成の像面湾曲変動がマイナスの方向であるならば、レンズ部Ｇｉｌを像側に動かせばよい。もしレンズ部Ｇｉｌが負の屈折力を持つのであれば、第１レンズ群Ｌ１の像面湾曲の変動量と第２レンズ群Ｌ２とレンズ部Ｇｉｌとの合成像面湾曲変動量とで前記同様にキャンセルさせればよい。また更に、球面収差と軸外収差の両方のフォーカスの際の変動を低減しようとするならば、瞳近軸光線が光軸と交わる位置付近と像側のレンズの両方を動かせばよい。
【００４４】
そこで各実施例の撮影光学系は、第２レンズ群Ｌ２を像側に移動させることによって無限遠物体から近距離物体にフォーカシングを行う。これにより、光学系全体や第１レンズ群Ｌ１全体を移動させてフォーカスすることに比して格段に小さい駆動装置でフォーカスすることが容易となる。また、第１レンズ群Ｌ１のパワーを適切にすることにより、第２レンズ群Ｌ２のパワーを強くすることができ、短い移動距離で同じ距離の近距離物体にフォーカシングすることが可能となる。
【００４５】
また各実施例の撮影光学系は後続レンズ群のうち少なくとも１つをフォーカシングする際に第２レンズ群Ｌ２と関連付けて移動させている。これにより、第２レンズ群Ｌ２のフォーカス敏感度を分担したり、フォーカシング時の球面収差の変動や像面湾曲などの軸外収差の変動を低減している。
【００４６】
各実施例の撮影光学系Ｌ０において、全系の焦点距離をf、第１レンズ群Ｌ１の焦点距離をf1、撮影光学系の最も物体側レンズの物体側面頂点から像面までの距離をLとする。
このとき、
0.050＜L×f1/f2＜0.250        ・・・（１）
なる条件を満足している。
【００４７】
各実施例では条件式（１）を満足しつつ、後続レンズ群ＬＲのうちの少なくとも１つのレンズ群がフォーカシングする際に第２レンズ群Ｌ２と関連付けて光軸上を移動させている。これにより、撮影可能な物体距離を短縮している。また、このような望遠タイプのレンズ構成とすることで、レンズ全長をあまり長くせずにレンズ全系の焦点距離を長くすることを容易にしている。そうすることで、撮像倍率が０．５倍を超える高倍率な撮影時でも最短の撮影距離を長くしている。
【００４８】
次に前述の条件式（１）の技術的意味について説明する。条件式（１）は撮影光学系Ｌ０の第１レンズ群Ｌ１の焦点距離とレンズ全長（第１レンズ面から像面までの距離）に関する。望遠レンズにおいて第１レンズ群Ｌ１の焦点距離とレンズ全長は密接に関わっており、第１レンズ群Ｌ１の焦点距離を短くするとレンズ全長も短くできる。しかし第１レンズ群Ｌ１の焦点距離を短く保ったままレンズ全長を長くしたり、また逆に第１レンズ群Ｌ１の焦点距離を長くしてレンズ全長を短くしようとすると、球面収差やコマ収差が多く残存し、これらの諸収差を補正することが困難となる。
【００４９】
このような関係から、条件式（１）の上限値を超えると、第１レンズ群Ｌ１の焦点距離が長くなりすぎるかレンズ全長が長くなる。第１レンズ群Ｌ１の焦点距離が長くなると、第２レンズ群Ｌ２の焦点距離とのバランスがとれなくなり、フォーカシング時に第１レンズ群Ｌ１と第２レンズ群Ｌ２で発生する球面収差やコマ収差等を補正することが難しくなる。またレンズ全長が長くなると全系のコンパクト化が難しくなる。
【００５０】
一方、条件式（１）の下限値を超えると、第１レンズ群Ｌ１の焦点距離が短くなりすぎるか、レンズ全長が短くなる。レンズ全長が短くなると、全系のコンパクト化が容易となるが、第１レンズ群Ｌ１の焦点距離が短くなりすぎる。そうすると、球面収差や軸上色収差等の補正が困難となる。条件式（１）は更に好ましくは次の如く設定するのが良い。
【００５１】
0.100＜L×f1/f2＜0.225        ・・・（１ａ）
条件式（１ａ）は更に好ましくは次の如く設定するのが良い。
【００５２】
0.140＜L×f1/f2＜0.190        ・・・（１ｂ）
以上のような構成とすることで最短の撮影距離が短く良好なる光学性能の撮影光学系を得ている。
【００５３】
本発明において、更に好ましくは次に述べる条件のうち少なくとも１つを満足するのが良く、これによれば更なる撮影距離の短縮効果と高い光学性能が容易に得られる。
【００５４】
撮影光学系は、第１レンズ群Ｌ１よりも像側に開口絞りＳＰを有していることが好ましい。そうすることで開口絞り径を小さくすることでき、開口絞りユニットの小型化が容易になるため全系の軽量化が容易になる。そして後続レンズ群ＬＲのうちフォーカシングする際に第２レンズ群Ｌ２と関連付けて光軸上を移動するレンズもしくはレンズ群をレンズ部Gmlとする。このとき、無限遠物体へフォーカシングしているときのレンズ部Gmlの最も物体側面から開口絞りＳＰまでの距離の絶対値をdmlとする。
【００５５】
第２レンズ群の屈折力をφ2、レンズ部Gmlの屈折力をφml、フォーカシングに際しての第２レンズ群Ｌ２の最大移動量をΔM2、フォーカシングに際してのレンズ部Gmlの最大移動量をΔMmlとする。また後続レンズ群ＬＲのうちフォーカシングする際に第２レンズ群Ｌ２と関連付けて光軸上を移動するレンズもしくはレンズ群をレンズ部Gilとする。このとき、無限遠物体へフォーカシングしているときのレンズ部Gilの最も物体側面から像面までの距離の絶対値をdilとする。
【００５６】
レンズ部Gilの屈折力をφil、フォーカシングに際してのレンズ部Gilの最大移動量をΔMilとする。第２レンズ群の焦点距離をf2とする。第１レンズ群Ｌ１の最も像側に配置されているレンズ部L1endは、正の屈折力の単レンズもしくは合成屈折力が正の屈折力を有する接合レンズである。レンズ部L1endの最も物体側面の曲率半径をRL1end、レンズ部L1endの最も物体側面を形成する材料の屈折率をNp、第２レンズ群Ｌ２の最も像側面の曲率半径をRL2、第２レンズ群Ｌ２の最も像側面を形成する材料の屈折率をNnとする。
【００５７】
このとき、以下の条件式のうち１以上を満足するのが良い。
0.00≦dml/L＜0.20                        ・・・（２）
1.0＜φ2×ΔM2/Σ(φml×ΔMml)＜100.0    ・・・（３）
0.000＜dil/L＜0.350                      ・・・（４）
1.0＜φ2×ΔM2/Σ(φil×ΔMil)＜100.0    ・・・（５）
-0.240＜f2/f＜-0.050                    ・・・（６）
-2.40＜f1/f2＜-0.50                      ・・・（７）
0.50＜Np×RL1end/(Nn×RL2)＜5.00          ・・・（８）
ここで、条件式（３），（５）式中のΣは、レンズ部Gmlやレンズ部Gilを複数有した場合、レンズ部Gmlやレンズ部Gilの数だけ和を取るという意味である。
【００５８】
条件式（２）は、第２レンズ群Ｌ２よりも像側のレンズ群で、フォーカシングする際に第２レンズ群Ｌ２と関連付けて光軸上を移動するレンズ部Gmlの光軸方向の位置に関する。上述したように、フォーカシングによる球面収差の変動を低減しようとするならば条件式（２）の範囲内のレンズ部を動かすのが好ましい。
【００５９】
条件式（２）の上限値を超える位置に配置されているレンズ部を動かすと、瞳近軸光線が光軸と交わる位置から遠くなってしまうため、球面収差に加えて像面湾曲も多く発生してくる。そうなると球面収差と像面湾曲のバランスがとりづらくなり好ましくない。また条件式（２）は距離の絶対値を取り扱っているため下限値は超えることがない。条件式（２）は更に好ましくは次の如く設定するのが良い。
【００６０】
0.00≦dml/L＜0.10                      ・・・（２ａ）
条件式（３）は、第２レンズ群Ｌ２と、第２レンズ群Ｌ２よりも像側のレンズ群で、フォーカシングする際に第２レンズ群Ｌ２と関連付けて光軸上を移動するレンズ部Gmlの最大移動量に関する。条件式（３）の上限値または下限値を超えると、第２レンズ群Ｌ２又はレンズ部Gmlのどちらかの移動量が極端に大きくなってしまう。そうなると移動するための空間を広く確保しなければならず、レンズ全長が長くなってしまうため好ましくない。
【００６１】
条件式（３）は更に好ましくは次の如く設定するのが良い。
2.0＜φ2×ΔM2/Σ(φml×ΔMml)＜90.0    ・・・（３ａ）
条件式（４）は、第２レンズ群Ｌ２よりも像側の群で、フォーカシングする際に第２レンズ群Ｌ２と関連付けて光軸上を移動するレンズ部Gmlとは異なるレンズ部Gilの光軸上の位置に関する。
【００６２】
上述したように、像面湾曲等の軸外収差のフォーカスに際しての変動を低減しようとするならば条件式（４）の範囲内のレンズ部を動かすのが好ましい。条件式（４）の上限値を超える位置に配置されているレンズ部を動かすと、瞳近軸光線が光軸と交わる位置に近づいてしまうため、像面湾曲等の軸外収差に加えて球面収差も多く発生してくる。そうなると球面収差と軸外収差のバランスがとりづらくなり好ましくない。また条件式（４）は距離の絶対値を取り扱っているため下限値は超えることがない。条件式（４）は更に好ましくは次の如く設定するのが良い。
【００６３】
0.000＜dil/L＜0.310                        ・・・（４ａ）
条件式（５）は、第２レンズ群Ｌ２と、第２レンズ群Ｌ２よりも像側の群で、フォーカシングする際に第２レンズ群Ｌ２と関連付けて光軸上を移動するレンズ部Gilの最大移動量に関する。条件式（５）の上限値または下限値を超えると、第２レンズ群Ｌ２又はレンズ部Gilのどちらか移動量が極端に大きくなってしまう。そうなると移動するための空間を広く確保しなければならず、レンズ全長が長くなってしまうため好ましくない。
【００６４】
条件式（５）は更に好ましくは次の如く設定するのが良い。
2.0＜φ2×ΔM2/Σ(φil×ΔMil)＜50.0    ・・・（５ａ）
条件式（５ａ）は更に好ましくは次の如く設定するのが良い。
2.0＜φ2×ΔM2/Σ(φil×ΔMil)＜30.0        ・・・（５ｂ）
条件式（６）は、第２レンズ群Ｌ２の焦点距離に関する。
【００６５】
条件式（６）の上限値を超えると第２レンズ群Ｌ２の焦点距離が短くなりすぎてしまい、第１レンズ群Ｌ１との収差補正のバランスがとりづらくなるため好ましくない。また条件式（６）の下限値を超えると、第２レンズ群Ｌ２の焦点距離が長くなってしまうため、第２レンズ群Ｌ２でのフォーカシングするときに必要な移動量が多くなってしまう。そうするとレンズ全長が長くなってしまうため好ましくない。
【００６６】
条件式（６）は更に好ましくは次の如く設定するのが良い。
-0.200＜f2/f＜-0.075                    ・・・（６ａ）
条件式（６ａ）は更に好ましくは次の如く設定するのが良い。
-0.180＜f2/f＜-0.100        ・・・（６ｂ）
条件式（７）は、第１レンズ群Ｌ１と第２レンズ群Ｌ２の焦点距離の比に関する。
【００６７】
条件式（７）の上限値を超えると、第２レンズ群Ｌ２の焦点距離に比較して第１レンズ群Ｌ１の焦点距離が短くなりすぎる。そうするとレンズ全長の短縮には効果があるが、第１レンズ群Ｌ１で発生した球面収差を第２レンズ群Ｌ２以降のレンズ群でキャンセルすることが困難となり、球面収差が残存してしまうため好ましくない。また、条件式（７）の下限値を超えると、第２レンズ群Ｌ２の焦点距離に比較して第１レンズ群Ｌ１の焦点距離が長くなりすぎる。そうするとレンズ全長が長くなってしまうため好ましくない。
【００６８】
条件式（７）は更に好ましくは次の如く設定するのが良い。
-2.40＜f1/f2＜-1.00                      ・・・（７ａ）
条件式（７ａ）は更に好ましくは次の如く設定するのが良い。
-2.30＜f1/f2＜-1.40        ・・・（７ｂ）
条件式（８）は、第１レンズ群Ｌ１の最も像側に配置されたレンズ部RL1endと第２レンズ群Ｌ２の最も像側に配置されたレンズにおける材料と面形状に関する。
【００６９】
第２レンズ群Ｌ２がフォーカシングに際して移動する際に発生する球面収差の変動を低減させるには次のように設定するのが好ましい。第１レンズ群Ｌ１の最も像側に配置されたレンズの物体側面と第２レンズ群Ｌ２の最も像側の面を構成する材料の屈折率とレンズ形状を適切に設定する。
【００７０】
条件式（８）の上限値または下限値を超えると、第１レンズ群Ｌ１の最も像側に配置されたレンズの物体側面と第２レンズ群Ｌ２の最も像側の面のパワー比がどちらかに大きく偏ってしまう。このため、フォーカシングに際して発生する球面収差の変動が大きくなってしまう。そうなると、レンズ系全体で球面収差が残存してしまうので好ましくない。
【００７１】
条件式（８）は更に好ましくは次の如く設定するのが良い。
0.75＜Np×RL1end/(Nn×RL2)＜4.00          ・・・（８ａ）
条件式（８ａ）は更に好ましくは次の如く設定するのが良い。
1.00＜Np×RL1end/(Nn×RL2)＜3.00        ・・・（８ｂ）
また第２レンズ群Ｌ２は１つの負レンズから構成されていることが好ましい。１枚とすることで、軽量化が容易であり、フォーカシング機構のモーターへの負荷を減らすことができるため小型化につながり好ましい。
【００７２】
以上のように各実施例によればレンズ全長を短縮した望遠レンズにおいて、撮影可能な物体距離を短くしつつ、０．５倍以上の撮影倍率で撮影可能であり諸収差が良好に補正された撮影光学系及びそれを有する撮像装置が得られる。
【００７３】
次に各実施例のレンズ構成の特徴について説明する。各レンズに付した符号のレンズは前述した各レンズに付した符号のレンズと対応している。まず各実施例で共通しているレンズ構成を説明する。各実施例では、最も物体側から像側へ順に、正の屈折力の第１レンズ群Ｌ１、負の屈折力の第２レンズ群Ｌ２、正又は負の屈折力の１以上のレンズ群を含む後続レンズ群ＬＲを有している。そして第１レンズ群Ｌ１よりも像側に開口絞りＳＰを有している。
【００７４】
無限遠物体から近距離物体へのフォーカシングに際しては前記第２レンズ群Ｌ２が光軸上を像側へ移動し、更に後続レンズ群ＬＲのうち少なくとも１つのレンズ部が第２レンズ群Ｌ２と関連付けて像側または物体側へ光軸上を移動する。次に各実施例の構成について説明する。
【００７５】
［実施例１］
以下、図１を参照して、実施例１の撮影光学系について説明する。実施例１の撮影光学系は無限遠物体から撮影倍率−１．０２までの横倍率で撮影可能である。図１（Ａ）は実施例１の撮影光学系の断面図（レンズ断面図）である。第１レンズ群Ｌ１は３つの正レンズと１つの負レンズで構成されている。接合レンズを１つ有しており、接合レンズは回折光学素子ＤＯＥを構成している。回折光学素子ＤＯＥを構成する回折光学部Ｄは、接合レンズの接合面に配置されている。条件式(８)に対応するレンズ部L1endは物体側から数えて３番目の両凸形状の正レンズである。
【００７６】
第１レンズ群Ｌ１内の最も物体側の面と接合レンズの最も物体側の面は共に非球面形状である。そして第２レンズ群Ｌ２は１枚の負レンズから構成されている。開口絞りＳＰは第２レンズ群Ｌ２の像側に配置されている。開口絞りＳＰの像側に後続レンズ群ＬＲが配置されている。後続レンズ群ＬＲは、物体側から像側へ順に、フォーカシングする際に第２レンズ群Ｌ２と関連付けて光軸上を移動する正の屈折力の第３レンズ群Ｌ３と、フォーカシングのためには不動の負の屈折力の第４レンズ群Ｌ４から構成されている。第３レンズ群Ｌ３がレンズ部Ｇｍｌに対応している。
【００７７】
本実施例では、開口絞りＳＰ付近の正の屈折力のレンズ群（第３レンズ群Ｌ３）を無限遠物体から近距離物体の全物体距離へのフォーカシング時に第２レンズ群と同時に像側へ移動させている。これにより、第３レンズ群Ｌ３を通る軸上光線の入射高さを変化させることができる。こうすることで、第３レンズ群Ｌ３よりも物体側のレンズで発生した球面収差のフォーカスに際しての変動を各被写体位置でバランスさせ、全体として収差量を低減している。
【００７８】
また無限遠物体から近距離物体へのフォーカシングに際して第３レンズ群Ｌ３を像側へ移動させることにより、第３レンズ群Ｌ３の横倍率を大きくすることができる。このため、等倍撮影までのフォーカシングに際しての第２レンズ群Ｌ２の移動量を少なくする効果も持たせている。
【００７９】
［実施例２］
以下、図２を参照して、実施例２の撮影光学系について説明する。実施例２の撮影光学系は無限遠物体から撮影倍率−２までの横倍率で撮影可能である。
【００８０】
図２（Ａ）は実施例２の撮影光学系の断面図である。実施例２では色収差の補正のために光学素子ＮＬを２つ有している。光学素子ＮＬの材料は２つとも表−１に示すような光学特性を有しており、紫外線を照射することによって硬化する特性を有する樹脂材料である。第１レンズ群Ｌ１は４つの正レンズと１つの負レンズで構成されている。接合レンズを１つ有しており、接合レンズは物体側から像側へ順に、負レンズ、正の屈折力の光学素子ＮＬ、回折光学部Ｄ、正レンズから構成されており、全体として回折光学素子ＤＯＥを構成している。
【００８１】
条件式(８)に対応するレンズ部L1endは最も像側の両凸形状の正レンズである。第１レンズ群Ｌ１内の最も物体側の面と接合レンズの最も物体側の面は共に非球面形状である。そして第２レンズ群Ｌ２は１枚の負レンズから構成されており、物体側の面が非球面形状である。開口絞りＳＰは第２レンズ群Ｌ２の像側に配置されている。
【００８２】
開口絞りＳＰの像側に後続レンズ群ＬＲが配置されている。後続レンズ群ＬＲは、物体側から像側へ順に、フォーカシングのためには不動の負の屈折力の第３レンズ群Ｌ３と、フォーカシングする際に第２レンズ群Ｌ２と関連付けて光軸上を移動する正の屈折力の第４レンズ群Ｌ４から構成されている。第３レンズ群Ｌ３の最も像側には接合レンズがあり、その接合面に２つ目の光学素子ＮＬを負の屈折力で配置している。第３レンズ群Ｌ３と第４レンズ群Ｌ４の最も物体側の面は非球面形状である。第４レンズ群Ｌ４がレンズ部Ｇｉｌに対応している。
【００８３】
本実施例では、像面付近の正の屈折力のレンズ群（第４レンズ群Ｌ４）を無限遠物体から近距離物体の全物体距離へのフォーカシング時に第２レンズ群と同時に物体側に移動させている。こうすることにより、第４レンズ群Ｌ４を通る瞳近軸光線の入射高さを低くすることができる。こうすることで、近距離物体にフォーカシングした時に第４レンズ群Ｌ４で発生する像面湾曲の量を低減させている。
【００８４】
［実施例３］
以下、図３を参照して、実施例３の撮影光学系について説明する。実施例３の撮影光学系は無限遠物体から撮影倍率−１までの横倍率で撮影可能である。図３（Ａ）は実施例３の撮影光学系の断面図である。実施例３では色収差の補正のために光学素子ＮＬを２つ有しており、２つともその光学特性や物性は実施例２で説明したものと同じものである。
【００８５】
第１レンズ群Ｌ１は４つの正レンズと１つの負レンズで構成されている。接合レンズを１つ有しており、接合レンズは物体側から像側へ順に、負レンズ、正の屈折力の光学素子ＮＬ、回折光学部Ｄ、正レンズから構成されており、全体として回折光学素子ＤＯＥを構成している。条件式(８)に対応するレンズ部L1endは第１レンズ群Ｌ１の最も像側の両凸形状の正レンズである。第１レンズ群Ｌ１内の最も物体側の面と接合レンズの最も物体側の面は共に非球面形状である。そして第２レンズ群Ｌ２は１枚の負レンズから構成されており、物体側の面が非球面形状である。
【００８６】
後続レンズ群ＬＲとして、物体側から像側へ順に開口絞りＳＰと正の屈折力の第３レンズ群Ｌ３が配置されており、フォーカシングする際に第２レンズ群と関連付けて開口絞りと共に光軸上を移動している。第３レンズ群Ｌ３の最も像側から２番目のレンズは接合レンズであり、その接合面に２つ目の光学素子ＮＬを負の屈折力で配置している。第３レンズ群Ｌ３の最も物体側の面と、最も像側に配置された両凸形状の正レンズの物体側の面は非球面形状である。第３レンズ群Ｌ３がレンズ部Ｇｍｌに対応している。
【００８７】
本実施例では、無限遠物体から近距離物体の全物体距離へのフォーカシング時に第２レンズ群と同時に第２レンズ群Ｌ２よりも像側のレンズ群（第３レンズ群Ｌ３）が全て一体となって物体側へ動いている。こうすることにより、開口絞りＳＰ付近のレンズでは軸上光線の入射高さを、そして像側のレンズでは瞳近軸光線の入射高さを変化させることができる。こうすることで、球面収差や像面湾曲のフォーカスに際しての変動をバランスさせて、全体として収差量を低減させている。
【００８８】
［実施例４］
以下、図４を参照して、実施例４の撮影光学系について説明する。実施例４の撮影光学系は無限遠物体から撮影倍率−１までの横倍率で撮影可能である。図４（Ａ）は実施例４の撮影光学系の断面図である。
【００８９】
実施例４では色収差の補正のために光学素子ＮＬを２つ有しており、２つともその光学特性や物性は実施例２で説明したものと同じものである。第１レンズ群Ｌ１は４つの正レンズと１つの負レンズで構成されている。接合レンズを１つ有しており、接合レンズは物体側から像側へ順に、負レンズ、正の屈折力の光学素子ＮＬ、回折光学部Ｄ、正レンズから構成されており、全体として回折光学素子ＤＯＥを構成している。
【００９０】
条件式(８)に対応するレンズ部L1endは第１レンズ群Ｌ１の最も像側の両凸形状の正レンズである。第１レンズ群Ｌ１内の最も物体側の面と接合レンズの最も物体側の面は共に非球面形状である。そして第２レンズ群Ｌ２は１枚の負レンズから構成されており、物体側の面が非球面形状である。開口絞りＳＰは第２レンズ群Ｌ２の像側に配置されている。
【００９１】
後続レンズ群ＬＲとして、物体側から像側へ順に、正の屈折力の第３レンズ群Ｌ３、負の屈折力の第４レンズ群Ｌ４、そして正の屈折力の第５レンズ群Ｌ５が配置されている。無限遠物体から近距離物体の全物体距離へのフォーカシング時に第２レンズ群Ｌ２と同時に第３レンズ群Ｌ３と第５レンズ群Ｌ５が光軸上を移動している。第４レンズ群Ｌ４の最も像側のレンズは接合レンズであり、その接合面に２つ目の光学素子ＮＬを負の屈折力で配置している。第３レンズ群Ｌ３の最も物体側の面と、第５レンズ群Ｌ５の最も物体側の面は非球面形状である。
【００９２】
第３レンズ群Ｌ３がレンズ部Ｇｍｌに、そして第５レンズ群Ｌ５がレンズ部Ｇｉｌに対応している。
【００９３】
本実施例では、無限遠物体から近距離物体へのフォーカシングに際して開口絞りＳＰ付近の正の屈折力のレンズ群（第３レンズ群Ｌ３）を物体側に移動させることにより、第３レンズ群Ｌ３を通る軸上光線の高さを変化させることができる。こうすることで、第３レンズ群Ｌ３よりも物体側のレンズで発生した球面収差のフォーカスに際しての変動を各物体距離でバランスさせ、全体として収差量を低減している。
【００９４】
また、像面付近の正の屈折力のレンズ群（第５レンズ群Ｌ５）を無限遠物体から近距離物体へのフォーカシングに際して物体側に移動させることにより、瞳近軸光線の入射高さを低くすることができる。こうすることで、近距離物体にフォーカシングした時に第５レンズ群Ｌ５で発生する像面湾曲の量を低減させている。
【００９５】
［実施例５］
以下、図５を参照して、実施例５による撮影光学系について説明する。実施例５の撮影光学系は無限遠物体から撮影倍率−１までの横倍率で撮影可能である。
【００９６】
図５（Ａ）は実施例５の撮影光学系の断面図である。実施例５では色収差の補正のために光学素子ＮＬを２つ有しており、２つともその光学特性や物性は実施例２で説明したものと同じものである。第１レンズ群Ｌ１は４つの正レンズと１つの負レンズで構成されている。接合レンズを１つ有しており、前記接合レンズは物体側から像側へ順に、負レンズ、正の屈折力の光学素子ＮＬ、回折光学部Ｄ、正レンズから構成されており、全体として回折光学素子ＤＯＥを構成している。
【００９７】
条件式(８)に対応するレンズ部L1endは第１レンズ群Ｌ１の最も像側の両凸形状の正レンズである。第１レンズ群Ｌ１内の最も物体側の面と接合レンズの最も物体側の面は共に非球面形状である。そして第２レンズ群Ｌ２は１枚の負レンズから構成されており、物体側の面が非球面形状である。開口絞りＳＰは第２レンズ群Ｌ２の像側に配置されている。
【００９８】
後続レンズ群ＬＲとして、物体側から像側へ順に、負の屈折力の第３レンズ群Ｌ３、正の屈折力の第４レンズ群Ｌ４、そして負の屈折力の第５レンズ群Ｌ５が配置されている。フォーカシングする際に第２レンズ群Ｌ２と関連付けて第３レンズ群Ｌ３と第４レンズ群Ｌ４が光軸上を移動している。第５レンズ群Ｌ５の最も像側から２番目のレンズは接合レンズであり、その接合面に２つ目の光学素子ＮＬを負の屈折力で配置している。第３レンズ群Ｌ３の最も像側の面と、第５レンズ群Ｌ５の最も像側の正レンズの物体側の面は非球面形状である。
【００９９】
第３レンズ群Ｌ３と第４レンズ群Ｌ４の両方がレンズ部Ｇｍｌに対応している。本実施例では、開口絞りＳＰ付近の負の屈折力のレンズ群（第３レンズ群Ｌ３）と正の屈折力のレンズ群（第４レンズ群Ｌ４）を共に無限遠物体から近距離物体へフォーカシングする際に物体側に移動させている。これにより、それぞれのレンズ群を通る軸上光線の入射高さを変化させることができる。こうすることで、第３レンズ群Ｌ３よりも物体側のレンズで発生した球面収差のフォーカスに際しての変動を各被写体位置でバランスさせ、全体として収差量を低減させている。
【０１００】
更に、第３レンズ群Ｌ３は全ての物体距離で第２レンズ群Ｌ２と同時に移動しているが、第４レンズ群Ｌ４は、無限遠物体からある物体距離までは固定とし、それよりも近づくと移動させるようにしている。こうすることで、無限遠物体からある程度までは第３レンズ群Ｌ３のみで球面収差のフォーカス変動をキャンセルさせている。また、フォーカスの際の収差変動が大きくなりやすい近距離物体へフォーカシングに際しては、第４レンズ群Ｌ４も移動させて、球面収差のフォーカスに際しての変動をキャンセルしている。こうすることで、更に良好に球面収差のフォーカスに際しての変動を低減させている。
【０１０１】
［実施例６］
以下、図６を参照して、実施例６の撮影光学系について説明する。実施例６の撮影光学系は無限遠物体から撮影倍率−１までの横倍率で撮影可能である。
【０１０２】
図６（Ａ）は実施例６の撮影光学系の断面図である。実施例６では色収差の補正のために光学素子ＮＬを２つ有しており、２つともその光学特性や物性は実施例２で説明したものと同じものである。第１レンズ群Ｌ１は４つの正レンズと２つの負レンズで構成されている。接合レンズを２つ有しており、物体側の接合レンズは物体側から像側へ順に、負レンズ、回折光学部Ｄ、正レンズから構成されており、全体として回折光学素子ＤＯＥを構成している。像側の接合レンズは物体側から像側へ順に、負レンズ、正レンズから構成されている。
【０１０３】
条件式(８)に対応するレンズ部L1endは第１レンズ群Ｌ１の最も像側の接合レンズである。第１レンズ群Ｌ１内の最も物体側の面と物体側の接合レンズの最も物体側の面は共に非球面である。そして第２レンズ群Ｌ２は１枚の負レンズから構成されている。開口絞りＳＰは第２レンズ群Ｌ２の像側に配置されている。
【０１０４】
後続レンズ群ＬＲとして、物体側から像側へ順に負の屈折力の第３レンズ群Ｌ３、正の屈折力の第４レンズ群Ｌ４、正の屈折力の第５レンズ群Ｌ５、そして正の屈折力の第６レンズ群Ｌ６が配置されている。無限遠物体から近距離物体の全物体距離へのフォーカシング時に前記第２レンズ群と同時に第４レンズ群Ｌ４と第５レンズ群Ｌ５が移動している。第４レンズ群Ｌ４は第３レンズ群Ｌ３との間隔を変化させながら移動し、第５レンズ群Ｌ５は光軸上を像側に移動している。
【０１０５】
光学素子ＮＬは第３レンズ群Ｌ３の最も物体側の接合レンズの接合面と、第６レンズ群Ｌ６の接合レンズの接合面にそれぞれ負の屈折力で配置している。第３レンズ群Ｌ３の物体側から２番目の接合レンズの最も物体側の面と、第５レンズ群Ｌ５の最も物体側の面は非球面形状である。第４レンズ群Ｌ４と前記第５レンズ群Ｌ５の両方がレンズ部Ｇｉｌに対応している。
【０１０６】
本実施例では、像面付近の複数の正の屈折力のレンズ群（第４レンズ群Ｌ４と第５レンズ群Ｌ５）を共にフォーカシング時に移動させることにより、瞳近軸光線の入射高さを変化させることができる。こうすることで、像面湾曲のフォーカスに際しての変動を各物体距離でバランスさせ、全体として収差量を低減させている。
【０１０７】
［実施例７］
以下、図７を参照して、実施例７の撮影光学系について説明する。実施例７の撮影光学系は無限遠物体から撮影倍率−１までの横倍率で撮影可能である。
【０１０８】
図７（Ａ）は実施例７の撮影光学系の断面図である。実施例７では色収差の補正のために光学素子ＮＬを２つ有しており、２つともその光学特性や物性は実施例２で説明したものと同じものである。第１レンズ群Ｌ１は４つの正レンズと１つの負レンズで構成されている。接合レンズを１つ有しており、接合レンズは物体側から像側へ順に、負レンズ、回折光学部Ｄ、正レンズから構成されており、全体として回折光学素子ＤＯＥを構成している。
【０１０９】
条件式(８)に対応するレンズ部L1endは第１レンズ群Ｌ１の最も像側の両凸形状の正レンズである。第１レンズ群Ｌ１内の最も物体側の面と接合レンズの最も物体側の面は共に非球面形状である。そして第２レンズ群Ｌ２は１枚の負レンズから構成されている。開口絞りＳＰは第２レンズ群Ｌ２の像側に配置されている。
【０１１０】
後続レンズ群ＬＲとして、物体側から像側へ順に、正の屈折力の第３レンズ群Ｌ３、負の屈折力の第４レンズ群Ｌ４、そして負の屈折力の第５レンズ群Ｌ５が配置されている。フォーカシングする際に第２レンズ群Ｌ２と関連付けて第４レンズ群Ｌ４が光軸上を移動している。光学素子ＮＬは第３レンズ群Ｌ３の接合レンズの接合面と、第５レンズ群Ｌ５の最も像側の接合レンズの接合面にそれぞれ負の屈折力で配置している。第４レンズ群Ｌ４の物体側の面と、第５レンズ群Ｌ５中の両凸形状の正レンズの物体側の面は非球面形状である。第４レンズ群Ｌ４がレンズ部Ｇｍｌに対応している。
【０１１１】
本実施例では、開口絞りＳＰ付近の負の屈折力のレンズ群（第４レンズ群Ｌ４）を無限遠物体から近距離物体の全物体距離へのフォーカシング時に第２レンズ群Ｌ２と同時に像側に移動させている。これにより、第４レンズ群Ｌ４を通る軸上光線の入射高さを変化させることができる。こうすることで、第４レンズ群Ｌ４よりも物体側のレンズで発生した球面収差のフォーカスに際しての変動を各被写体位置でバランスさせ、全体として収差量を低減させている。
【０１１２】
［実施例８］
以下、図８を参照して、実施例８の撮影光学系について説明する。実施例８の撮影光学系は無限遠物体から撮影倍率−１までの横倍率で撮影可能である。
【０１１３】
図８（Ａ）は実施例８の撮影光学系の断面図である。実施例８では色収差の補正のために光学素子ＮＬを２つ有しており、２つともその光学特性や物性は実施例２で説明したものと同じものである。第１レンズ群Ｌ１は４つの正レンズと１つの負レンズで構成されている。接合レンズを１つ有しており、前記接合レンズは物体側から像側へ順に、負レンズ、正の屈折力の光学素子ＮＬ、回折光学部Ｄ、正レンズから構成されており、全体として回折光学素子ＤＯＥを構成している。条件式(８)に対応するレンズ部L1endは第１レンズ群Ｌ１の最も像側の両凸形状の正レンズである。
【０１１４】
第１レンズ群Ｌ１内の最も物体側の面と接合レンズの最も物体側の面は共に非球面形状である。そして第２レンズ群Ｌ２は１枚の負レンズから構成されており、物体側の面が非球面形状である。開口絞りＳＰは第２レンズ群Ｌ２の像側に配置されている。
【０１１５】
後続レンズ群ＬＲとして、物体側から像側へ順に正の屈折力の第３レンズ群Ｌ３、負の屈折力の第４レンズ群Ｌ４、そして正の屈折力の第５レンズ群Ｌ５が配置されている。フォーカシングする際に第２レンズ群Ｌ２と関連付けて第４レンズ群Ｌ４が光軸上を移動している。２つ目の光学素子ＮＬは第５レンズ群Ｌ５の接合レンズの接合面に負の屈折力で配置している。第３レンズ群Ｌ３の最も物体側の面と、第５レンズ群Ｌ５の最も物体側の面は非球面形状である。前記第４レンズ群Ｌ４がＧｉｌに対応している。
【０１１６】
本実施例では、像面付近の複数の負の屈折力のレンズ群（第４レンズ群Ｌ４）を無限遠物体から近距離物体の全物体距離へのフォーカシング時に第２レンズ群と同時に像側へ移動させることにより、瞳近軸光線の入射高さを変化させることができる。こうすることで、像面湾曲のフォーカスに際しての変動を各物体距離でバランスさせ、全体として収差量を低減させている。
【０１１７】
［実施例９］
以下、図９を参照して、実施例９の撮影光学系について説明する。実施例９の撮影光学系は無限遠物体から撮影倍率−０．７までの横倍率で撮影可能なである。
【０１１８】
図９（Ａ）は実施例９の撮影光学系の断面図である。第１レンズ群Ｌ１は５つの正レンズと１つの負レンズで構成されている。接合レンズを１つ有しており、接合レンズは物体側から像側へ順に、正レンズ、回折光学部Ｄ、正レンズから構成されており、全体として回折光学素子ＤＯＥを構成している。条件式(８)に対応するレンズ部L1endは第１レンズ群Ｌ１の最も像側の両凸形状の正レンズである。第１レンズ群Ｌ１内の最も物体側の面と正レンズL1endの物体側の面は共に非球面形状である。そして第２レンズ群Ｌ２は１枚の負レンズから構成されており、像側の面が非球面である。
【０１１９】
開口絞りＳＰは第２レンズ群Ｌ２の像側に配置されている。開口絞りＳＰの像側に後続レンズ群ＬＲが配置されている。後続レンズ群ＬＲは、物体側から像側へ順に、フォーカシングのためには不動の負の屈折力の第３レンズ群Ｌ３と、フォーカシングする際に第２レンズ群と関連付けて光軸上を移動する正の屈折力の第４レンズ群Ｌ４から構成されている。第４レンズ群Ｌ４の正レンズの像側の面は非球面形状である。第４レンズ群Ｌ４がレンズ部Ｇｉｌに対応している。
【０１２０】
本実施例では、像面付近の正の屈折力のレンズ群（第４レンズ群Ｌ４）を無限遠物体から近距離物体の全物体距離へのフォーカシング時に第２レンズ群と同時に物体側に移動させている。これにより、瞳近軸光線の入射高さを低くすることができる。こうすることで、近距離物体にフォーカシングした時に第４レンズ群Ｌ４で発生する像面湾曲の量を低減させている。
【０１２１】
以上のように各実施例によればレンズ全長を短縮した望遠タイプの投影光学系において、最短撮影可能距離を大幅に短くし、０．５倍以上の倍率で撮影する時でも最短撮影距離が長く、諸収差が良好に補正された撮影光学系が得られる。
【０１２２】
ここで、各実施例の撮影光学系Ｌ０で用いた回折光学素子ＤＯＥの構成について説明する。各実施例で用いている回折格子は従来より知られている単層又は積層型の回折格子である。即ち、撮影光学系Ｌ０内に配置される回折光学素子ＤＯＥを構成する回折光学部Ｄは、光軸に対して回転対称な回折格子より成っている。回折格子の形状は、その２ｉ次項の位相係数をＣ２ｉとした時、光軸からの距離Ｈにおける位相φ（Ｈ）は次式で表される。ただしｍは回折次数、λ０は基準波長である。
【０１２３】
【数１】
2012242742.tif 000003
【０１２４】
一般に、レンズ、プリズム等の屈折光学材料のアッベ数（分散値）νｄは、ｄ、Ｃ、Ｆ
線の各波長における屈折力をＮｄ、ＮＣ、ＮＦとした時、次式で表される。
【０１２５】
νｄ＝（Ｎｄ−１）／（ＮＦ−ＮＣ）＞０      ・・・（ｂ）
一方、回折光学部のアッベ数νｄはｄ、Ｃ、Ｆ線の各波長をλｄ、λＣ、λＦとした時
νｄ＝λｄ／（λＦ−λＣ）                  ・・・（ｃ）
と表され、νｄ＝−３．４５となる。
【０１２６】
これにより、任意波長における分散性は、屈折光学素子と逆作用を有する。また、回折光学部の基準波長における近軸的な一時回折光（ｍ ＝ １）の屈折力φＤは、回折光学部の位相を表す前式（ａ）から２次項の係数をＣ２とした時、φＤ= −２・Ｃ２と表される。これより回折光学素子ＤＯＥの回折成分のみによる焦点距離ｆＤＯＥは
ｆＤＯＥ＝１／φＤ＝−１／（２・Ｃ２）
となる。さらに、任意波長をλ、基準波長をλ０とした時、任意波長の基準波長に対する
屈折力変化は、次式となる。
【０１２７】
φＤ’＝（λ／λ０）×（−２・Ｃ２）            ・・・（ｄ）
以下に本発明の実施例１〜９に対応する数値実施例１〜９を示す。各数値実施例において、ｉは物体側からの面の順序を示し、ｒｉは物体側より第ｉ番目の面の曲率半径、ｄｉは物体側より第ｉ番目と第ｉ＋１番目の間隔、ｎｄｉとνｄｉは第ｉ番目の光学部材の屈折率とアッベ数である。ＢＦはバックフォーカスで最像レンズ面から像面までの空気換算長で表している。
【０１２８】
各数値実施例において最も像側の２つの面はフィルター等のガラスブロックである。回折光学素子（回折面）は前述（ａ）式の位相関数の位相係数Ｃ２ｉを与えることで表している。非球面形状は光軸方向にＸ軸、光軸と垂直方向にＨ軸、光の進行方向を正、Ｒを近軸曲率半径、ｋを離心率、A4、A6、A8、A10を各々非球面係数としたとき、
【０１２９】
【数２】
2012242742.tif 000004
【０１３０】
なる式で表している。また例えば「ｅ−Ｚ」の表示は「１０−Ｚ」を意味する。実施例２〜８で使用している固体材料からなる光学素子ＮＬの材料は、全ての数値実施例でＵＶ硬化樹脂１を単体で用いている。その光学特性を（表−１）に示す。
【０１３１】
表−１においてアッベ数νｄ、部分分散比θｇＦは材料のｄ線、ｇ線、Ｆ線、Ｃ線に対する屈折率を各々ｎｄ、ｎｇ、ｎＦ、ｎＣとする。このとき
νｄ＝（ｎｄ−１）／（ｎＦ−ｎＣ）
θｇＦ＝（ｎｇ−ｎＦ）／（ｎＦ−ｎＣ）
である。前述の各条件式と各数値実施例における諸数値との関係を（表−２）に示す。
【０１３２】
（数値実施例１）
f= 788.34mm  Fno= 5.80  ２ω= 3.14
面番号       r        d      nd         νd       有効径
1(非球面)191.726   19.84   1.48749    70.2      135.92
2       -481.406  107.12                        135.19
3(非球面)237.599    5.50   1.88300    40.8       91.89
4(回折)   86.874   19.00   1.43875    94.9       87.84
5       -879.846   27.40                         87.46
6        113.491   13.97   1.43387    95.1       82.56     正レンズL1end
7       -272.631  (可変)                         81.54
8       1371.458    2.00   1.72916    54.7       53.91
9         69.280  (可変)                         50.96
10(絞り)    ∞     (可変)                         36.56     開口部SP
11        751.827    1.88   1.84666    23.8       34.43     レンズ群Gml
12        100.949    4.72   1.54072    47.2       34.01
13        -92.336  (可変)                         33.86
14        168.979    3.94   1.80809    22.8       27.66
15        -94.433    1.94   1.77250    49.6       27.01
16         57.078    4.23                         26.26
17       -194.050    1.90   1.78800    47.4       26.60
18        110.116    2.00                         27.07
19         60.262    4.34   1.54072    47.2       28.43
20       -505.693   13.23                         28.73
21        167.078    8.63   1.54814    45.8       30.96
22        -34.769    2.00   1.43875    94.9       31.11
23      -1208.207    4.53                         30.90
24        -45.388    2.00   1.43875    94.9       30.77
25         53.528    1.19                         32.00
26         58.290   11.59   1.61340    44.3       32.60
27        -38.168    2.00   1.80809    22.8       33.15
28       -102.853    6.42                         33.99
29          ∞       2.20   1.51633    64.1       34.60
30          ∞     110.67                         34.71
像面        ∞   
【０１３３】
非球面データ
第1面
K =-6.73243e-001  A 4=-2.14649e-008  A 6=-7.06929e-013  A 8= 2.84947e-017
A10=-4.09297e-021  A12= 2.49854e-025
第3面
K =-4.75418e-001  A 4=-5.75764e-009  A 6= 4.46375e-012  A 8=-8.21625e-016
A10= 3.44529e-019  A12=-4.25221e-023
第4面(回折面)
C 2=-2.83940e-005  C 4=-1.13368e-009  C 6= 7.41627e-013  C 8=-4.01207e-016
C10= 2.96328e-019  C12=-4.84215e-023
各種データ
ズーム比      1.00 
焦点距離     788.34  
Fナンバー      5.80  
半画角（度）    1.57  
像高          21.64  
レンズ全長   486.00  
BF           110.67  
可変間隔
物体距離       無限    40000     6000     1986   1156.18  (像面からの距離)
横倍率         無限    -0.02    -0.14    -0.50     -1.02
d 7            2.50     3.48     9.53    28.76     63.18
d 9           73.78    72.80    66.75    47.52     13.10
d10           10.00    10.28    11.81    15.04     16.34
d13           15.48    15.48    15.20    13.67      9.14
入射瞳位置   1172.56  
射出瞳位置   -92.33  
前側主点位置-1100.57  
後側主点位置-677.66  
レンズ群データ
群  始面    焦点距離  レンズ構成長  前側主点位置  後側主点位置
L1    1     183.56       192.84       150.03       -109.44
L2    8    -100.13         2.00         1.22          0.06
SP   10       ∞           0.00         0.00          0.00
L3   11     251.11         6.59         5.24          1.17
L4   14    -182.52        72.14       -13.65        -76.88
単レンズデータ
レンズ  始面  焦点距離
1       1    284.02
2       3   -159.20
3       4    179.46
4       6    186.74
5       8   -100.13
6      11   -137.91
7      12     89.96
8      14     75.47
9      15    -45.80
10      17    -88.91
11      19     99.85
12      21     53.31
13      22    -81.64
14      24    -55.64
15      26     39.40
16      27    -76.16
G      29      0.00
【０１３４】
（数値実施例２）
f= 400.00mm  Fno= 4.12  ２ω= 6.20
面番号        r        d      nd         νd       有効径
1(非球面)  79.986   18.00   1.53172    48.8       97.09
2       -1650.746    0.10                         96.40
3          79.716   12.00   1.43387    95.1       86.08
4         306.519   13.67                         84.00
5(非球面)1642.370    3.60   1.83400    37.2       73.12
6          45.086    2.00   1.63555    22.7       66.05     光学素子ＮＬ
7(回折)    48.799   20.00   1.49700    81.5       65.96
8        -277.851    1.60                         65.61
9          91.059    9.00   1.43387    95.1       63.55     正レンズL1end
10        -620.412  (可変)                         62.61
11(非球面) -99.503    2.50   1.48749    70.2       45.86
12          30.784  (可変)                         39.12
13(絞り)     ∞       3.00                         30.95     開口部SP
14(非球面)  81.847    1.30   1.84666    23.8       31.39
15          24.159    8.36   1.65412    39.7       30.69
16        -107.673    1.56                         30.75
17          39.862    8.00   1.65412    39.7       29.97
18         -29.404    1.50   1.88300    40.8       29.54
19          90.937    3.14                         28.30
20         809.211    4.10   1.84666    23.8       28.14
21         -52.182    1.30   1.83481    42.7       28.02
22          48.560    4.32                         27.71
23         -83.089    1.30   1.72916    54.7       28.15
24         196.764    2.86                         29.30
25          73.502    9.13   1.72342    38.0       32.72
26         -30.039    0.10   1.63555    22.7       33.25     光学素子ＮＬ
27         -33.358    1.40   1.61405    55.0       33.36
28           ∞     (可変)                         34.33
29(非球面) 106.186    6.00   1.54814    45.8       42.67     レンズ群Gil
30        -543.819  (可変)                         42.78
31           ∞       2.20   1.51633    64.1       42.80
32           ∞      55.00                         42.82
像面         ∞   
【０１３５】
非球面データ
第1面
K =-2.36853e-001  A 4=-5.11731e-009  A 6=-5.67368e-012  A 8= 2.84140e-016
A10=-7.56855e-019  A12= 2.32519e-023
第5面
K = 0.00000e+000  A 4=-2.42020e-007  A 6= 4.56311e-011  A 8= 1.83701e-014
A10= 8.85693e-018  A12=-1.37197e-020  A14= 3.80535e-024
第7面(回折面)
C 2=-2.15983e-005  C 4= 9.97725e-009  C 6=-2.25073e-011  C 8= 1.44822e-014
C10= 2.63879e-017  C12=-1.45550e-020  C14=-6.82220e-024  C16=-7.25695e-027
C18= 1.09780e-029  C20=-2.66987e-033
第11面
K = 0.00000e+000  A 4= 3.43056e-006  A 6=-1.98726e-009  A 8= 1.45758e-012
A10=-8.43730e-016  A12= 9.81280e-021  A14= 2.86217e-022
第14面
K = 7.49774e+000  A 4= 1.83086e-006  A 6= 1.93664e-009  A 8=-2.20776e-012
A10= 8.03558e-015  A12=-9.64147e-018
第29面
K =-4.42376e+000  A 4= 1.32392e-007  A 6=-1.58790e-010  A 8= 6.21132e-013
A10=-1.07025e-015  A12= 6.92851e-019
各種データ
ズーム比      1.00 
焦点距離     400.00  
Fナンバー      4.12  
半画角（度）    3.10  
像高          21.64  
レンズ全長   300.00  
BF            55.00  
可変間隔
物体距離       無限    20000     2500   1130.07  865.45  (像面からの距離)
横倍率         無限    -0.02    -0.18     -0.50   -0.75
d10            4.41     4.88     8.75     16.65   23.31
d12           67.66    67.18     63.31    55.41   48.75
d28           28.89    28.73     25.64    20.06   16.38
d30            2.00     2.15      5.25    10.83   14.51
物体距離     733.686   654.99   602.80   565.77  538.11  (像面からの距離)
横倍率        -1.00     -1.25    -1.5     -1.75   -2.00
d10           30.34     37.71    45.45    53.54   62.07
d12           41.73     34.35    26.61    18.52    9.99
d28           13.20     10.02     7.16     4.23    2.00
d30           17.69     20.87    23.73    26.66   28.89
入射瞳位置   670.30  
射出瞳位置  -109.33  
前側主点位置  96.68  
後側主点位置-345.00  
レンズ群データ
群  始面    焦点距離  レンズ構成長  前側主点位置  後側主点位置
L1    1      96.23        79.97        18.69        -50.04
L2   11     -47.93         2.50         1.28         -0.39
L3   13    -710.18        51.38       167.81        102.34
L4   29     162.61         6.00         0.64         -3.25
G   31       ∞           2.20         0.73         -0.73
単レンズデータ
レンズ  始面  焦点距離
1       1    144.00
2       3    244.40
3       5    -55.64
4       6    746.44
5       7     84.95
6       9    183.72
7      11    -47.93
8      14    -40.91
9      15     30.94
10      17     27.11
11      18    -25.02
12      20     58.03
13      21    -29.95
14      23    -79.96
15      25     30.61
16      26   -480.73
17      27    -54.33
18      29    162.61
G      31      0.00
【０１３６】
（数値実施例３）
f= 394.52mm  Fno= 4.12  ２ω= 6.28
面番号         r        d      nd         νd       有効径
1(非球面)   78.832   18.00   1.57099    50.8       95.73
2        -6808.220    0.10                         94.59
3           95.127   12.00   1.43387    95.1       86.32
4         1487.257   12.97                         84.41
5(非球面)-1009.165    3.60   1.83400    37.2       69.31
6           42.842    2.00   1.63555    22.7       59.88   光学素子ＮＬ
7(回折)     48.506   16.00   1.49700    81.5       59.83
8         -228.987   16.51                         58.58
9           64.109    7.64   1.43387    95.1       44.00   正レンズL1end
10         -215.924  (可変)                         42.64
11(非球面) -140.666    1.80   1.60311    60.6       38.47
12           30.111  (可変)                         33.72
13(絞り)      ∞       3.00                         27.09   開口部SP/レンズ群Gml
14(非球面)   73.776    1.30   1.84666    23.8       26.29
15           25.708    7.15   1.65412    39.7       25.28
16         -144.104    0.50                         24.59
17           48.873    8.00   1.65412    39.7       23.42
18          -31.136    1.50   1.88300    40.8       21.14
19          135.968    2.86                         19.95
20          194.510    3.85   1.84666    23.8       19.12
21          -43.902    1.30   1.83481    42.7       19.13
22           38.174    3.68                         19.13
23         -123.874    1.30   1.69680    55.5       20.07
24           63.910    2.39                         20.94
25           53.311   11.51   1.59551    39.2       23.46
26          -19.478    0.10   1.63555    22.7       25.27   光学素子ＮＬ
27          -23.050    1.40   1.59282    68.6       25.59
28         -788.272    3.00                         27.31
29(非球面)   51.503    5.27   1.48749    70.2       30.06
30         1640.128    3.79                         30.49
31            ∞       2.20   1.51633    64.1       31.28
32            ∞      (可変)                        31.59
像面          ∞      
【０１３７】
非球面データ
第1面
K =-2.50512e-001  A 4=-2.83545e-008  A 6=-7.92809e-012  A 8=-5.31479e-016
A10=-7.41085e-019  A12= 1.35845e-023
第5面
K = 0.00000e+000  A 4=-2.54936e-007  A 6= 7.98782e-011  A 8= 1.31433e-014
A10=-5.40654e-018  A12= 1.36436e-021  A14=-5.82631e-025
第7面(回折面)
C 2=-4.45084e-006  C 4= 6.48780e-010  C 6=-6.01955e-012  C 8= 1.27977e-014
C10=-2.85825e-018  C12=-2.64143e-022  C14= 1.33411e-024  C16=-1.70448e-026
C18= 2.84658e-029  C20=-1.23653e-032
第11面
K = 0.00000e+000  A 4= 3.02959e-006  A 6=-1.81929e-009  A 8= 3.50303e-013
A10= 2.80846e-015  A12=-8.12004e-018  A14= 9.07191e-021
第14面
K = 7.84000e+000  A 4= 1.04444e-006  A 6= 9.77442e-010  A 8=-7.71447e-012
A10= 3.51985e-014  A12=-7.39341e-017
第29面
K =-1.57138e+000  A 4= 5.97709e-007  A 6=-6.71691e-010  A 8= 7.57162e-013
A10=-1.41036e-016  A12=-1.37013e-018
各種データ
ズーム比      1.00 
焦点距離     394.52  
Fナンバー      4.12  
半画角（度）    3.14  
像高          21.64  
レンズ全長   253.46  
BF            55.00  
可変間隔
物体距離       無限    20000     2500   1049.10  652.28  (像面からの距離)
横倍率         無限    -0.02    -0.18     -0.50   -1.00
d10            3.08     3.51     6.93     14.41   27.32
d12           40.65    40.12    35.90     26.24   11.41
d32           55.00    55.10    55.90     58.08   60.00
入射瞳位置   604.00  
射出瞳位置   -53.84  
前側主点位置-431.55  
後側主点位置-339.52  
レンズ群データ
群  始面    焦点距離  レンズ構成長  前側主点位置  後側主点位置
L1    1      90.35        88.83        42.05        -53.39
L2   11     -40.96         1.80         0.92         -0.20
L3   13     749.89        64.11        -2.12        -55.96
単レンズデータ
レンズ  始面  焦点距離
1       1    136.61
2       3    233.63
3       5    -49.20
4       6    505.37
5       7     82.05
6       9    114.88
7      11    -40.96
8      14    -47.19
9      15     33.92
10      17     30.27
11      18    -28.57
12      20     42.62
13      21    -24.28
14      23    -60.33
15      25     25.46
16      26   -199.98
17      27    -40.08
18      29    108.96
G      31      0.00
【０１３８】
（数値実施例４）
f= 392.00mm  Fno= 4.12  ２ω= 6.32
面番号        r        d      nd         νd       有効径
1(非球面)  79.457   18.00   1.53172    48.8       95.13
2        1311.795    0.10                         93.47
3          83.939   12.00   1.43387    95.1       86.12
4         493.421    6.54                         84.56
5(非球面) 191.750    3.60   1.83400    37.2       75.35
6          45.905    2.00   1.63555    22.7       65.15     光学素子ＮＬ
7(回折)    48.782   16.00   1.49700    81.5       64.71
8       -1477.245   13.27                         62.97
9          87.557    5.84   1.43387    95.1       48.77     正レンズL1end
10        -573.163  (可変)                         47.35
11(非球面)-185.761    1.80   1.60311    60.6       43.53
12          35.386  (可変)                         38.23
13(絞り)     ∞     (可変)                         30.75     開口部SP
14(非球面)  79.552    1.30   1.84666    23.8       25.19     レンズ群Gml
15          32.288    5.96   1.48749    70.2       24.36
16        -147.471  (可変)                         23.76
17          54.764    8.00   1.65412    39.7       22.93
18         -39.076    1.50   1.72916    54.7       21.95
19         103.703    2.92                         21.69
20         433.018    3.95   1.84666    23.8       21.77
21         -41.677    1.30   1.83481    42.7       21.75
22          40.829    4.38                         21.71
23         -96.746    1.30   1.69680    55.5       22.76
24          85.599    2.73                         23.81
25          71.186   10.54   1.63980    34.5       26.71
26         -21.599    0.10   1.63555    22.7       28.14     光学素子ＮＬ
27         -29.889    1.40   1.72916    54.7       28.70
28        -126.599  (可変)                         30.31
29(非球面)  83.886    5.84   1.48749    70.2       37.22     レンズ群Gil
30        -128.999  (可変)                         37.59
31           ∞       2.20   1.51633    64.1       37.91
32           ∞      55.00                         38.05
像面         ∞   
【０１３９】
非球面データ
第1面
K =-2.39829e-001  A 4=-2.54309e-008  A 6=-9.04214e-012  A 8= 6.82768e-016
A10=-1.01785e-018  A12= 7.66493e-023
第5面
K = 0.00000e+000  A 4=-2.72935e-007  A 6= 1.84402e-011  A 8= 5.67724e-015
A10=-2.14404e-018  A12= 3.14218e-021  A14=-1.12001e-024
第7面(回折面)
C 2=-1.04296e-005  C 4=-6.26658e-011  C 6=-6.86570e-012  C 8= 1.18827e-014
C10=-7.08678e-018  C12=-2.00104e-021  C14= 1.14700e-023  C16=-2.15029e-026
C18= 2.20559e-029  C20=-8.36345e-033
第11面
K = 0.00000e+000  A 4= 1.95141e-006  A 6=-9.57547e-010  A 8=-4.85442e-014
A10= 2.40950e-015  A12=-4.96213e-018  A14= 3.53685e-021  
第14面
K = 6.08304e+000  A 4=-2.76701e-007  A 6=-7.22717e-011  A 8= 1.55452e-013
A10=-2.08733e-015  A12= 1.87158e-018  
第29面
K =-1.30126e+000  A 4= 7.38439e-007  A 6=-3.00900e-010  A 8=-1.48398e-013
A10= 8.37118e-016  A12=-1.22281e-018  
各種データ
ズーム比      1.00 
焦点距離     392.00  
Fナンバー      4.12  
半画角（度）    3.16  
像高          21.64  
レンズ全長   255.00  
BF            55.00  
可変間隔
物体距離       無限    20000     2500   1056.64   664.85  (像面からの距離)
横倍率         無限    -0.02    -0.18     -0.50    -1.00
d10            3.53     3.90     6.89     13.55    25.43
d12           31.90    31.52    28.54     21.88     9.99
d13           18.51    18.12    15.29      9.88     3.50
d16            0.50     0.89     3.72      9.14    15.51
d28           11.00    10.67     6.95      1.67     1.00
d30            2.00     2.33     6.05     11.31    12.00
入射瞳位置   384.01  
射出瞳位置  -105.06  
前側主点位置-184.04  
後側主点位置-337.00  
レンズ群データ
群  始面    焦点距離  レンズ構成長  前側主点位置  後側主点位置
L1    1      86.39        77.34        23.72        -45.81
L2   11     -49.13         1.80         0.94         -0.18
SP   13       ∞           0.00         0.00          0.00
L3   14     346.21         7.26         2.72         -2.04
L4   17     -66.97        38.12        16.39        -12.86
L5   29     105.22         5.84         1.56         -2.40
G   31       ∞           2.20         0.73         -0.73
単レンズデータ
レンズ  始面  焦点距離
1       1    158.27
2       3    231.08
3       5    -73.19
4       6    945.37
5       7     95.16
6       9    175.53
7      11    -49.13
8      14    -65.01
9      15     54.93
10      17     36.08
11      18    -38.75
12      20     45.07
13      21    -24.53
14      23    -64.99
15      25     27.10
16      26   -123.11
17      27    -53.99
18      29    105.22
G      31      0.00
【０１４０】
（数値実施例５）
f= 392.01mm  Fno= 4.12  ２ω= 6.32
面番号        r        d      nd         νd       有効径
1(非球面)  73.706   18.00   1.53172    48.8       95.13
2         540.879    0.10                         93.42
3          93.568   12.00   1.43387    95.1       87.43
4        1099.666   11.35                         85.86
5(非球面) 314.351    3.60   1.83400    37.2       71.60
6          43.536    2.00   1.63555    22.7       61.82     光学素子ＮＬ
7(回折)    45.886   16.00   1.49700    81.5       61.35
8        -591.253   19.46                         59.88
9          65.385    6.69   1.43387    95.1       42.82     正レンズL1end
10        -633.462  (可変)                         40.86
11(非球面)-215.306    1.80   1.60311    60.6       37.31
12          30.673  (可変)                         32.94
13(絞り)     ∞     (可変)                         24.94     開口部SP
14          64.264    2.28   1.62041    60.3       22.82     レンズ群Gml
15         689.310    1.30   1.84666    23.8       22.82
16(非球面)  66.972  (可変)                         22.82
17          90.911    5.75   1.61772    49.8       23.45     レンズ群Gml
18         -28.301    1.50   1.72916    54.7       23.64
19         -71.984  (可変)                         24.04
20         170.031    3.91   1.84666    23.8       23.98
21         -44.529    1.30   1.83481    42.7       23.84
22          37.125    4.85                         23.46
23         -84.793    1.30   1.69680    55.5       24.36
24          70.561    2.38                         25.62
25          81.463   10.58   1.62004    36.3       28.11
26         -19.584    0.10   1.63555    22.7       29.28     光学素子ＮＬ
27         -26.788    1.40   1.72916    54.7       30.17
28         -78.811    5.38                         32.28
29(非球面)  82.638    5.88   1.48749    70.2       37.26
30        -134.334    2.00                         37.61
31           ∞       2.20   1.51633    64.1       37.93
32           ∞      55.00                         38.06
像面         ∞
【０１４１】
非球面データ
第1面
K =-2.40615e-001  A 4=-2.60758e-008  A 6=-8.48951e-012  A 8= 5.93910e-016
A10=-8.68765e-019  A12= 8.91255e-024
第5面
K = 0.00000e+000  A 4=-2.63373e-007  A 6= 3.44580e-011  A 8= 4.29947e-015
A10=-2.07129e-018  A12= 4.44444e-021  A14=-1.81181e-024
第7面(回折面)
C 2=-1.50053e-005  C 4= 1.15282e-009  C 6=-6.60168e-012  C 8= 1.04479e-014
C10=-2.99195e-018  C12=-5.18238e-021  C14= 8.41188e-024  C16=-1.78408e-026
C18= 2.70162e-029  C20=-1.32072e-032
第11面
K = 0.00000e+000  A 4= 2.29138e-006  A 6=-1.29423e-009  A 8= 3.27129e-013
A10= 2.47872e-015  A12=-7.92147e-018  A14= 8.78028e-021
第16面
K =-3.25902e+000  A 4= 1.55057e-006  A 6=-3.55080e-009  A 8= 1.22838e-011
A10=-6.84989e-014  A12= 1.37787e-016
第29面
K = 1.18400e+000  A 4= 1.78721e-006  A 6=-8.71032e-010  A 8=-5.92926e-013
A10= 1.29373e-015  A12=-1.02892e-018
各種データ
ズーム比      1.00 
焦点距離     392.01  
Fナンバー      4.12  
半画角（度）    3.16  
像高          21.64  
レンズ全長   255.00  
BF            55.00  
可変間隔
物体距離       無限    20000     2500   1030.35   636.53  (像面からの距離)
横倍率         無限    -0.02    -0.17     -0.50    -1.00
d10            3.37     3.84     7.62     15.78    30.42
d12           37.06    36.59    32.81     24.65    10.00
d13           12.35    11.97     9.65      5.79     3.00
d16            2.36     2.74     5.01      6.13     4.94
d19            1.74     1.74     1.79      4.52     8.50
入射瞳位置   599.14  
射出瞳位置   -80.05  
前側主点位置-146.72  
後側主点位置-337.01  
ズームレンズ群データ
群  始面    焦点距離  レンズ構成長  前側主点位置  後側主点位置
L1    1      92.83        89.20        37.17        -55.08
L2   11     -44.39         1.80         0.98         -0.14
SP   13       ∞           0.00         0.00          0.00
L3   14    -416.10         3.58        10.92          8.58
L4   17      78.06         7.25         2.41         -2.09
L5   20    -163.23        41.29       -38.28        -91.47
単レンズデータ
レンズ  始面  焦点距離
1       1    158.37
2       3    234.87
3       5    -60.96
4       6    976.35
5       7     86.18
6       9    137.00
7      11    -44.39
8      14    114.07
9      15    -87.70
10      17     35.60
11      18    -64.90
12      20     42.03
13      21    -24.08
14      23    -55.08
15      25     26.53
16      26   -115.21
17      27    -56.29
18      29    105.89
G      31      0.00
【０１４２】
（数値実施例６）
f= 585.00mm  Fno= 4.12  ２ω= 4.24
面番号         r        d      nd         νd       有効径
1(非球面)  114.180   24.10   1.57501    41.5      142.00
2          644.585    0.35                        140.12
3          144.690   14.31   1.43387    95.1      131.32
4          416.784   34.94                        128.47
5(非球面)-1436.899    4.60   1.88300    40.8       98.26
6(回折)     75.225   25.00   1.49700    81.5       89.21
7         -191.186    1.00                         88.17
8           77.170    3.00   1.72047    34.7       78.54     接合レンズL1end
9           63.867   14.95   1.43387    95.1       74.95
10         3852.453  (可変)                         72.88
11          566.689    3.00   1.74400    44.8       63.26
12           61.841  (可変)                         57.58
13(絞り)      ∞       3.00                         38.88     開口部SP
14           65.416    2.00   1.88300    40.8       37.08
15           41.835    0.10   1.63555    22.7       35.62     光学素子ＮＬ
16           32.820    8.84   1.54072    47.2       35.17
17          -96.998   12.01                         34.47
18(非球面)20111.973    6.30   1.74000    28.3       24.32
19          -27.137    2.00   1.85026    32.3       22.72
20          113.412    4.83                         21.14
21         -574.208    2.81   1.84666    23.8       21.31
22          -91.419    1.70   1.72916    54.7       21.40
23           45.073    3.50                         21.50
24         -153.101    2.50   1.72916    54.7       22.26
25           88.457  (可変)                         23.38
26           75.939    7.88   1.62004    36.3       25.97     レンズ群Gil
27          -30.729    2.00   1.88300    40.8       27.09
28         -124.115  (可変)                         28.81
29(非球面)   78.596    2.26   1.53172    48.8       30.96     レンズ群Gil
30          138.787  (可変)                         31.29
31          163.536   11.86   1.59551    39.2       35.71
32          -26.177    0.10   1.63555    22.7       36.38     光学素子ＮＬ
33          -30.636    2.50   1.59282    68.6       36.69
34          -99.982    2.50                         38.03
35            ∞       2.00   1.51633    64.1       38.41
36            ∞      55.00                         38.52
像面          ∞
【０１４３】
非球面データ
第1面
K =-7.45849e-002  A 4=-5.26622e-009  A 6=-7.97179e-014  A 8= 7.42785e-018
A10=-4.07241e-021
第5面
K = 0.00000e+000  A 4=-9.02010e-008  A 6= 6.25232e-012  A 8= 8.71942e-016
A10=-1.09945e-019
第6面(回折面)
C 2=-1.77104e-005  C 4=-1.00108e-010  C 6=-1.54739e-014  C 8= 2.75223e-016
第18面
K = 0.00000e+000  A 4= 2.03209e-006  A 6= 2.80520e-010  A 8= 1.07005e-011
A10=-2.00933e-014  A12= 3.85458e-017
第29面
K = 0.00000e+000  A 4=-3.93160e-007  A 6=-5.53935e-010  A 8= 2.73190e-012
A10=-3.09961e-015
各種データ
ズーム比      1.00 
焦点距離     585.00  
Fナンバー      4.12  
半画角（度）    2.12  
像高          21.64  
レンズ全長   350.00  
BF            55.00  
可変間隔
物体距離       無限    30000     4500   1504.10   913.36  (像面からの距離)
横倍率         無限    -0.02    -0.14     -0.50    -1.00
d10            8.34     9.17    14.37     31.72    63.04
d12           66.41    65.58    60.38     43.03    11.70
d25            2.97     2.86     3.13      4.63     4.21
d28            1.55     2.92     5.38      4.68     7.10
d30            9.79     8.53     5.80      5.00     3.00
入射瞳位置   838.15  
射出瞳位置  -111.32  
前側主点位置-634.46  
後側主点位置-530.00  
レンズ群データ
群  始面    焦点距離  レンズ構成長  前側主点位置  後側主点位置
L1    1     145.91       122.25        40.45        -74.30
L2   11     -93.54         3.00         1.94          0.21
L3   13     -43.88        49.59        59.39          6.59
L4   26     147.50         9.88         0.13         -5.85
L5   29     336.45         2.26        -1.90         -3.35
L6   31     108.16        18.96         5.71         -7.36
単レンズデータ
レンズ  始面  焦点距離
1       1    237.38
2       3    502.82
3       5    -81.07
4       6    111.69
5       8   -567.86
6       9    149.51
7      11    -93.54
8      14   -136.88
9      15   -240.66
10      16     46.46
11      18     36.63
12      19    -25.59
13      21    128.08
14      22    -41.19
15      24    -76.56
16      26     36.31
17      27    -46.72
18      29    336.45
19      31     38.80
20      32   -285.45
21      33    -75.52
G      35      0.00
【０１４４】
（数値実施例７）
f= 585.00mm  Fno= 4.12  ２ω= 4.24
面番号         r        d      nd         νd       有効径
1(非球面)  123.492   22.58   1.58144    40.8      142.00
2          696.736    0.35                        140.12
3          119.982   17.55   1.43387    95.1      129.80
4          399.459   39.14                        126.85
5(非球面)-1289.967    4.60   1.88300    40.8       90.94
6(回折)     67.170   25.00   1.49700    81.5       81.80
7         -279.301    2.50                         79.97
8           90.618   11.65   1.43387    95.1       73.45     正レンズL1end
9         -737.760  (可変)                         71.62
10          229.773    3.00   1.83400    37.2       62.16
11           61.976  (可変)                         57.15
12(絞り)      ∞       3.68                         35.13     開口部SP
13           66.218    2.00   1.88300    40.8       33.23
14           64.024    0.10   1.63555    22.7       32.41     光学素子ＮＬ
15           35.671    6.35   1.58267    46.4       31.71
16         -173.892  (可変)                         30.97
17(非球面) 4080.129    1.60   1.88300    40.8       29.67     レンズ群Gml
18           98.026  (可変)                         28.65
19         -591.320    2.81   1.84666    23.8       21.42
20          -91.479    1.70   1.72916    54.7       21.51
21           40.682    3.72                         21.60
22         -145.229    1.70   1.72916    54.7       22.46
23           75.931    2.00                         23.48
24          144.855    8.09   1.72151    29.2       24.94
25          -23.934    2.00   1.88300    40.8       26.40
26         -257.963    1.58                         29.06
27(非球面)   50.911    5.57   1.51633    64.1       32.86
28         -134.730    2.54                         33.44
29          -94.502    9.18   1.69895    30.1       34.07
30          -25.237    0.10   1.63555    22.7       35.25     光学素子ＮＬ
31          -29.964    2.50   1.88300    40.8       35.64
32          -49.875    2.50                         37.61
33            ∞       2.00   1.51633    64.1       38.17
34            ∞      55.00                         38.29
像面          ∞   
【０１４５】
非球面データ
第1面
K =-1.13612e-001  A 4= 1.59295e-010  A 6= 1.48695e-013  A 8= 3.56677e-018
A10=-2.85323e-021
第5面
K = 0.00000e+000  A 4=-8.12067e-008  A 6= 1.22409e-011  A 8= 8.53658e-016
A10=-1.91819e-019
第6面(回折面)
C 2=-2.81983e-005  C 4= 3.94855e-010  C 6=-4.40458e-013  C 8= 6.42138e-016
第17面
K = 0.00000e+000  A 4= 2.93274e-007  A 6=-1.65346e-010  A 8=-5.93620e-013
A10= 3.89729e-015  A12=-6.57056e-018
第27面
K =-6.93044e-001  A 4=-1.81746e-006  A 6=-4.33698e-010  A 8= 1.34159e-012
A10=-1.68343e-015
各種データ
ズーム比      1.00 
焦点距離     585.00  
Fナンバー      4.12  
半画角（度）    2.12  
像高          21.64  
レンズ全長   350.00  
BF            55.00  
可変間隔
物体距離       無限    30000     4500   1413.19   844.70  (像面からの距離)
横倍率         無限    -0.02    -0.14     -0.50    -1.00
d 9            6.64     7.39    12.17     30.39    68.87
d11           74.02    73.27    68.49     50.28    11.79
d16            1.00     1.49     4.40     13.90    24.23
d18           25.23    24.75    21.83     12.33     2.00
入射瞳位置   984.30  
射出瞳位置  -115.38  
前側主点位置-439.24  
後側主点位置-530.00  
レンズ群データ
群  始面    焦点距離  レンズ構成長  前側主点位置  後側主点位置
L1    1     155.66       123.38        39.98        -81.94
L2   10    -102.59         3.00         2.26          0.61
L3   12      88.83        12.12         4.70         -4.18
L4   17    -113.77         1.60         0.87          0.02
L5   19    -271.90        48.00       -88.99       -182.35
単レンズデータ
レンズ  始面  焦点距離
1       1    254.46
2       3    387.89
3       5    -72.49
4       6    110.95
5       8    186.81
6      10   -102.59
7      13  -3820.65
8      14   -126.91
9      15     51.37
10      17   -113.77
11      19    127.49
12      20    -38.41
13      22    -68.16
14      24     29.05
15      25    -30.00
16      27     72.30
17      29     46.71
18      30   -253.76
19      31    -90.32
G      33      0.00
【０１４６】
（数値実施例８）
f= 392.00mm  Fno= 4.12  ２ω= 6.32
面番号         r        d      nd         νd       有効径
1(非球面)   81.128   18.00   1.53172    48.8       95.13
2        -9747.507    0.10                         93.77
3          100.046   12.00   1.43387    95.1       86.74
4          675.760   16.83                         84.09
5(非球面)-3125.370    3.60   1.83400    37.2       67.17
6           45.524    2.00   1.63555    22.7       59.38     光学素子ＮＬ
7(回折)     50.349   16.00   1.49700    81.5       59.15
8         -297.659   17.08                         57.65
9           71.540    9.00   1.43387    95.1       46.11     正レンズL1end
10         -188.336  (可変)                         44.74
11(非球面) -207.629    1.80   1.60311    60.6       39.16
12           30.904  (可変)                         34.73
13(絞り)      ∞       3.00                         28.65     開口部SP
14(非球面)   64.801    1.30   1.84666    23.8       29.47
15           22.604    7.58   1.65412    39.7       28.80
16         -135.042    0.50                         28.84
17           37.481    8.00   1.65412    39.7       28.43
18          -33.611    1.50   1.88300    40.8       27.59
19           73.947    3.21                         26.41
20         1197.136    3.81   1.84666    23.8       26.25
21          -39.924    1.30   1.83481    42.7       26.17
22           44.783    3.24                         25.88
23         -126.331    1.30   1.69680    55.5       26.15
24           91.617    2.02                         27.16
25           58.691    4.87   1.74950    35.3       29.65
26          -78.477  (可変)                         29.96
27          -74.661    1.40   1.59282    68.6       30.06     レンズ群Gil
28          212.838  (可変)                         30.75
29(非球面)   97.949    1.50   1.48749    70.2       37.34
30          100.696    0.10   1.63555    22.7       37.54     光学素子ＮＬ
31           70.738    4.67   1.60342    38.0       37.63
32         -301.508    2.00                         37.79
33            ∞       2.20   1.51633    64.1       38.03
34            ∞      55.00                         38.16
像面          ∞   
【０１４７】
非球面データ
第1面
K =-2.38484e-001  A 4=-2.64503e-008  A 6=-6.64050e-012  A 8= 2.67935e-016
A10=-6.09917e-019  A12= 4.68397e-023
第5面
K = 0.00000e+000  A 4=-2.49671e-007  A 6= 6.13689e-011  A 8= 8.84749e-015
A10=-4.31028e-018  A12= 1.11894e-021  A14=-7.43252e-025
第7面(回折面)
C 2=-1.14427e-005  C 4= 7.63683e-009  C 6=-1.69245e-011  C 8= 2.37366e-014
C10= 3.79762e-019  C12=-9.16850e-021  C14=-6.83679e-025  C16=-1.20473e-026
C18= 2.98387e-029  C20=-1.62428e-032
第11面
K = 0.00000e+000  A 4= 2.51136e-006  A 6=-1.70662e-009  A 8= 9.77809e-013
A10= 2.21693e-015  A12=-7.80962e-018  A14= 7.55434e-021
第14面
K = 7.23140e+000  A 4= 1.78055e-007  A 6=-7.68191e-010  A 8=-3.30134e-012
A10= 2.56418e-016  A12=-3.00504e-017
第29面
K =-8.67851e+000  A 4= 1.06644e-006  A 6=-5.85786e-010  A 8= 2.16313e-013
A10=-3.00882e-016  A12= 4.26169e-019
各種データ
ズーム比      1.00 
焦点距離     392.00  
Fナンバー      4.12  
半画角（度）    3.16  
像高          21.64  
レンズ全長   272.66  
BF            55.00  
可変間隔
物体距離       無限    20000     2500   1069.40   678.50  (像面からの距離)
横倍率         無限    -0.02    -0.18     -0.50    -1.00
d10            2.69     3.17     6.97     15.36    29.82
d12           48.48    48.00    44.20     35.80    21.34
d26            1.59     1.97     5.39     10.66    15.59
d28           15.00    14.62    11.19      5.92     1.00
入射瞳位置   645.51  
射出瞳位置   -67.40  
前側主点位置-217.92  
後側主点位置-337.00  
レンズ群データ
群  始面    焦点距離  レンズ構成長  前側主点位置  後側主点位置
L1    1      98.79        94.61        45.47        -57.93
L2   11     -44.48         1.80         0.97         -0.15
L3   13     196.90        41.63        -7.75        -38.61
L4   27     -93.07         1.40         0.23         -0.65
L5   29     125.88        10.47         1.13         -6.33
単レンズデータ
レンズ  始面  焦点距離
1       1    151.41
2       3    268.97
3       5    -53.77
4       6    634.54
5       7     87.82
6       9    120.76
7      11    -44.48
8      14    -41.59
9      15     30.18
10      17     28.35
11      18    -26.00
12      20     45.70
13      21    -25.11
14      23    -76.03
15      25     45.49
16      27    -93.07
17      29   6247.66
18      30   -374.60
19      31     95.40
G      33      0.00
【０１４８】
（数値実施例９）
f= 390.99mm  Fno= 4.12  ２ω= 6.34
面番号       r        d      nd         νd       有効径
1(非球面)108.531    8.78   1.80518    25.4       94.90
2(回折)  254.502    8.08   1.48749    70.2       93.86
3      -2173.584   20.90                         92.60
4        105.465    8.58   1.48749    70.2       75.05
5        463.903    1.33                         72.98
6        164.667    3.60   1.80518    25.4       69.54
7         48.524    3.68                         61.77
8         50.306   10.56   1.49700    81.5       61.62
9        211.322   32.67                         60.50
10(非球面) 52.345    8.37   1.49700    81.5       39.00     正レンズL1end
11       -233.354  (可変)                         36.32
12       3842.894    1.80   1.80440    39.6       34.00
13(非球面) 31.968  (可変)                         30.62
14(絞り)    ∞       6.00                         25.54     開口部SP
15        318.811    1.30   1.80809    22.8       24.43
16         30.958    4.75   1.68893    31.1       24.60
17        -70.890    1.50                         24.73
18         82.230    5.10   1.69895    30.1       24.55
19        -31.882    1.30   1.72000    46.0       24.28
20         38.562    2.61                         23.50
21        -90.037    1.30   1.81600    46.6       23.50
22         75.525    2.00                         24.23
23        126.006    6.36   1.66680    33.0       25.51
24        -22.698    1.40   1.81600    46.6       26.06
25        -75.765  (可変)                         27.87
26       -232.999    4.77   1.54072    47.2       37.30     レンズ群Gil
27(非球面)-49.991  (可変)                         37.87
28          ∞       2.20   1.51633    64.1       38.37
29          ∞      62.35                         38.49
像面        ∞   
【０１４９】
非球面データ
第1面
K = 0.00000e+000  A 4=-8.24421e-008  A 6=-4.68107e-012  A 8=-4.69921e-016
A10= 1.38492e-020  A12=-1.01603e-023
第2面(回折面)
C 2=-2.53921e-005  C 4=-3.07132e-009  C 6= 1.55647e-012  C 8=-2.83136e-016
第10面
K = 0.00000e+000  A 4=-6.74436e-007  A 6=-4.80530e-010  A 8= 5.79823e-013
A10=-7.40976e-016  A12= 3.06510e-019
第13面
K = 0.00000e+000  A 4=-8.80761e-007  A 6=-3.79162e-009  A 8= 1.51886e-011
A10=-5.64627e-014  A12= 7.12238e-017
第27面
K = 0.00000e+000  A 4=-1.29638e-006  A 6=-4.17672e-010  A 8=-2.77652e-013
A10=-4.20431e-017
各種データ
ズーム比      1.00 
焦点距離     390.99  
Fナンバー      4.12  
半画角（度）    3.17  
像高          21.64  
レンズ全長   256.40  
BF            62.35  
可変間隔
物体距離       無限    5256.40   756.40  (像面からの距離)
横倍率         無限      -0.08    -0.70
d11            1.16       2.82    18.01
d13           21.84      20.18     4.99
d25           19.50      19.42    17.50
d27            2.61       2.69     4.61
入射瞳位置   506.10  
射出瞳位置   -78.13  
前側主点位置-191.12  
後側主点位置-328.64  
レンズ群データ
群  始面    焦点距離  レンズ構成長  前側主点位置  後側主点位置
L1    1      87.70       106.56        82.55        -56.35
L2   12     -40.08         1.80         1.01          0.01
L3   14    -100.46        33.62        21.21         -4.70
L4   26     116.64         4.77         3.90          0.84
G   28       ∞           2.20         0.73         -0.73
単レンズデータ
レンズ  始面  焦点距離
1       1    226.33
2       2    457.01
3       4    277.82
4       6    -86.64
5       8    130.01
6      10     86.87
7      12    -40.08
8      15    -42.52
9      16     31.88
10      18     33.49
11      19    -24.05
12      21    -50.16
13      23     29.35
14      24    -40.19
15      26    116.64
G      28      0.00
【０１５０】
（表−１）
2012242742.tif 000005
【０１５１】
（表−２）
2012242742.tif 000006
【０１５２】
※表中の「--」とは、その数値実施例には該当しない条件式であることを表わす。以上、本発明の好ましい実施形態について説明したが、本発明はこれらの実施形態に限定されず、その要旨の範囲内で種々の変形及び変更が可能である。
【０１５３】
次に本発明の光学系を撮像装置（カメラシステム）に適用した実施例を図１０を用いて説明する。
【０１５４】
図１０は一眼レフカメラの要部概略図である。図１０において、１０は実施例１〜９のいずれか１つの撮影光学系１を有する撮像レンズである。撮影光学系１は保持部材である鏡筒２に保持されている。２０はカメラ本体である。カメラ本体は撮像レンズ１０からの光束を上方に反射するクイックリターンミラー３、撮像レンズ１０の像形成位置に配置された焦点板４、焦点板４に形成された逆像を正立像に変換するペンタダハプリズム５を有している。更に、その正立像を観察するための接眼レンズ６等によって構成されている。
【０１５５】
７は感光面であり、ＣＣＤセンサやＣＭＯＳセンサ等の固体撮像素子（光電変換素子）や銀塩フィルムが配置される。撮影時にはクイックリターンミラー３が光路から退避して、感光面７上に撮影レンズ１０によって像が形成される。このように実施例１〜９の撮影光学系を写真用カメラや、ビデオカメラ、デジタルスチルカメラ等の撮像装置に適用することにより、全長短縮した望遠レンズにおいて０．５倍以上の横倍率で撮影可能にしている。そして従来のマクロレンズと比較して最短撮影距離が長い諸収差が良好に補正された撮像装置を実現している。
【０１５６】
本発明はクイックリターンミラーのない一眼レフカメラにも適用できる。
【符号の説明】
【０１５７】
Ｌ０は撮影光学系    Ｌ１は第１レンズ群  Ｌ２は第２レンズ群  Ｌ３は第３レンズ群
Ｌ４は第４レンズ群  Ｌ５は第５レンズ群  Ｌ６は第６レンズ群
Ｌ１ｅｎｄは正レンズ（又は合成屈折力が正の接合レンズ）L1end
Ｇｍｌはレンズ群Gml    Ｇｉｌはレンズ群Gil
ＤＯＥは回折光学素子    Ｄは回折光学部    ＮＬは光学素子ＮＬ
【図１】
2012242742.tif 000007
【図２】
2012242742.tif 000008
【図３】
2012242742.tif 000009
【図４】
2012242742.tif 000010
【図５】
2012242742.tif 000011
【図６】
2012242742.tif 000012
【図７】
2012242742.tif 000013
【図８】
2012242742.tif 000014
【図９】
2012242742.tif 000015
【図１０】
2012242742.tif 000016
【図１１】
2012242742.tif 000017
【図１２】
2012242742.tif 000018
【図１３】
2012242742.tif 000019